(57)【特許請求の範囲】
【請求項１】
充填可能なリザーバを有する有益剤の送達装置と共に使用するカートリッジであって、
再構成式の単位用量のパッケージを備え、該パッケージが、
前記有益剤の少なくとも第１成分を収容する第１区画室と、
前記有益剤の少なくとも第２成分を収容する第２区画室と、
前記パッケージを前記充填可能なリザーバに連結するために前記パッケージに配置された嵌合体と、
充填区画室であって、前記第１区画室が前記充填区画室と流体通路を介して流体連通しており、該充填区画室は、前記第１成分にて前記第１区画室を充填するための境界を形成する、充填区画室と、
ガス排出室であって、前記第１区画室が該ガス排出室と流体排出通路を介して流体連通している、ガス排出室と、
前記流体排出通路内に配置されガス透過可能であり液体透過不能である物体と、
を備える、カートリッジ。
【請求項２】
前記カートリッジが、針、コネクタ、およびノズルのうちの１つを備える、前記送達装置の送達部分に連通するように適合される、請求項１に記載のカートリッジ。
【請求項３】
前記第１区画室が、破断可能なバリアにより前記第２区画室から隔離される、請求項１に記載のカートリッジ。
【請求項４】
前記パッケージの少なくとも一部分が可撓壁を備える、請求項１に記載のカートリッジ。
【請求項５】
前記可撓壁の少なくとも一部分が、前記第１区画室および前記第２区画室の少なくとも一部分を画定するように予め形成される、請求項４に記載のカートリッジ。
【請求項６】
前記第２区画室の予め形成された前記可撓壁上に配置された不透明且つ剥離可能な箔層をさらに備える、請求項４に記載のカートリッジ。
【請求項７】
前記第１区画室と前記第２区画室との間の流体通路と、前記流体通路内に配置された静的混合器とをさらに備える、請求項１に記載のカートリッジ。
【請求項８】
前記パッケージと前記送達装置との間の流体通路と、前記流体通路内に配置された静的混合器とをさらに備える、請求項１に記載のカートリッジ。
【請求項９】
前記第１区画室又は前記第２区画室の少なくとも一部分が管状構造を備える、請求項１に記載のカートリッジ。
【請求項１０】
開放されるまで前記第１区画室を前記嵌合体から隔離する蓋をさらに備える、請求項１に記載のカートリッジ。
【請求項１１】
前記充填区画室内に位置づけられた逆止弁をさらに備える、請求項１に記載のカートリッジ。
【請求項１２】
前記流体通路又は前記充填区画室内に位置づけられた流れ偏向器をさらに備える、請求項１に記載のカートリッジ。
【請求項１３】
前記ガス排出室は、ガスが前記第１区画室から排出されることを許容するように構成されている、請求項１に記載のカートリッジ。
【発明の詳細な説明】
【技術分野】
【０００１】
本開示は、限定されるものではないが、好ましくは薬物送達装置と共に使用する使い捨てカートリッジに関し、さらに詳細には、薬物送達装置のための無菌混合カートリッジに関する。
【背景技術】
【０００２】
薬剤、特に注射可能な薬剤は、市販の無菌パッケージ内で使用時まで滅菌状態で保存される必要がある。一部の薬剤は、充填済みシリンジ、例えば、Ｖｅｔｔｅｒ社（Ｒａｖｅｎｓｂｕｒｇ、ドイツ）製の充填済みシリンジなどの充填済みの単一用量投与装置内で保存される。しかし、注射可能な薬剤の多くは、無菌パッケージ内に保存され、使用する直前に投与装置（すなわち、薬物送達装置）に移送される。投与装置という用語は、限定されることなく、皮下注射器、極微針注射器、マイクロポンプ、自動注射器、ジェット注射器、局所用ディスペンサ、皮内送達装置、パッチポンプ、耳用ディスペンサ、経口投与用ディスペンサ、点眼器、自動注射器、注入器、または他の種類の薬物送達装置を含む。
【０００３】
注射可能な薬剤を保存するためのいくつかの無菌パッケージが市販されている。おそらく、注射可能な製品のための最も一般的な無菌パッケージは、ガラスバイアルである。一部の薬剤は、使用する直前に混合される別々の成分として保存される。大抵の場合、このような保存は、薬剤の安定性を向上するために、または薬剤の有効期間を延長するために行われる。一例において、薬剤は、ワクチンの熱安定性を高めるために１つのバイアル内で乾燥状態に保たれたワクチンであり、付属のバイアルが、注射前にシリンジと針でワクチンバイアルに分注される希釈剤を保存する。別の例において、薬剤は、１つのバイアルが調製された抗原を保存し、２つ目のバイアルが補助剤を保存するワクチンである。
【発明の概要】
【発明が解決しようとする課題】
【０００４】
しかしながら、この従来技術にはいくつかの欠点がある。（ａ）これらのパッケージは、ワクチンなどの多くの注射可能な薬物に対して何倍もの費用がかかり、経済的に実用的ではない。（ｂ）薬剤成分の混合が必要となる場合、一連の作業が複雑であり、間違いが起こり易い。そして（ｃ）一方の容器から別の容器または投与装置への薬剤またはその成分の移送が、非滅菌領域で行われ、汚染の危険が生じ易い。
【０００５】
米国特許第７，８７９，０１８号明細書は、注射可能な用量を混合するための複数の市販の特許取得済みキットの１つを開示している。ここでもまた、この開示の制約は、バイアルへの依存度ならびにこの種のガラス製一次容器に関連するコストおよび複雑性である。
【０００６】
複数の市販品および特許が、製品を使用時まで無菌的に保存できるフィルムまたは箔から製造された可撓性パッケージを開示している。これらの製品および特許の一部はさらに、投与パッケージ内の製品に連通する吐出ポートを開示している。一部の例では、パッケージの完全性を高めるために、使用時までの間、ポートと製品との間に破断可能なバリアを存在させる。一部の例では、これらの可撓性パッケージは、異なる区画室からの物質を混合させ、投与可能な製品を生成できるようにするために、使用前に統合可能な少なくとも２つの製品区画室を備える。これらのパッケージは、時としてパウチまたは小袋と称される。パウチパッケージの１つの欠点は、パッケージの全内容物を効率的に絞り出すことが比較的困難なことである。このことは、長さおよび幅が通常、パッケージの面に対する垂直な突出よりも大幅に大きいこれらのパッケージの寸法比に起因している。この寸法比は、パウチ又は小袋のパッケージを形成する方法に固有の制約である。パウチおよび小袋は、１つまたは複数の容器を形成するために縁部に沿って封止された１つまたは複数の平坦なフィルムまたは箔（共に「ウェブ」）から形成される。パウチは、容器形成中または形成後に充填され、その後、封止されて製品を無菌包装された状態に保つ。
【０００７】
手のひらで直接操作する場合、これらの比較的奥行のないパッケージの１つの制約は、吐出時に、オペレータの親指によりパッケージの２つの対向壁がすぐに接触し、その接触した時点で吐出が停止することである。パッケージから製品をさらに絞り出すために、通常はパッケージの精密な蠕動運動または折り畳みが必要になる。いくつかの形態においては、圧縮パネルを用いて可撓性パッケージを押圧し、内容物を放出させる。これらの形態においては、圧縮パネルを操作して、より小さな接触面で製品区画室を押圧し、したがって、より強い圧力を生み出せるようにすることが有益である。それゆえ、内容物区画室の面積が比較的小さく、封止領域とパッケージ表面に垂直なパッケージ寸法との比率がより小さい可撓性投与パッケージを作り出すことが有効である。
【０００８】
いくつかの用途において、送達可能な薬剤は、注射前に少なくとも２つの物質の完全な混合を必要とする。一例として、使用時に高粘度の油中水（Ｗ／Ｏ）を調製する簡単な方法が必要となる。現在のところ、エマルジョンは、２つのシリンジを接続する３方止水栓または細管を介して、分離した油成分と水成分とを往復させて混合することにより手作業で調製される。この方法には若干時間がかかり、しばしば一貫性がない。より有効なエマルジョンを提供するために、但し、特に調製時間を短縮するために孔径を減少させた場合には、より強力な押出力が必要となるが、シリンジ内に多孔膜を有するコネクタが開発されている。加えて、組立および分解ステップの数が増えることにより、操作ミスや送達可能な用量の汚染の危険性が高まる。
【課題を解決するための手段】
【０００９】
本開示の少なくともいくつかの態様は、例えば、安価で、簡単かつ取り扱い易いカートリッジを提供することにより、従来技術の欠点および限界を克服する。ある特定の構造のカートリッジは、無菌混合およびディスペンサ、特に薬物送達注射器の充填を可能にする。
【００１０】
本開示のいくつかの形態において、パッケージは、ウェブ材料の第１壁と第２壁が区画室の境界に沿って結合される少なくとも１つのウェブ材料から製造される。いくつかの形態において、ウェブ材料は、相対的に大きな容積の区画室が相対的に小さな封止面積で得られるように予め形成される。この予め形成されたパッケージにより、パッケージの全体寸法を縮小し、保存効率および搬送効率を向上することができる。
【００１１】
本開示の一形態によれば、薄い可撓壁のパッケージを有するカートリッジは、少なくとも第１成分区画室と、カートリッジをディスペンサの充填ポートに接続するための嵌合体とを備える。嵌合体は、流体密態様でパッケージに取り付けられる。嵌合体は、ルアーコネクタ、ルアーロックコネクタ、圧入コネクタ、スナップ式コネクタ、スナップ、またはねじ式キャップに限定されるものではなく、手段の１つによりディスペンサの充填ポートに取り付けられてもよい。
【００１２】
いくつかの形態において、少なくとも１つの空洞が、パッケージのウェブ壁の少なくとも１つに予め形成され、パッケージの少なくとも１つの製品区画室の一部分を形成する。この構造により、同一体積の製品を保存するための、区画室の封止領域（面積）と封止領域に垂直な区画室の寸法（区画室の膨らみ）との比率をより小さくすることができる。この構造はまた、同様の製品容量を有する小袋又はパウチのパッケージに必要となる面積に比べて区画室の面積をより小さくできるようにする。ウェブの成形は、例えば、熱成形、冷間成形、予熱での成形、プラグアシスト、加圧成形、真空成形、およびこれらの組み合わせを含む、特定のウェブ材料の特性に適した、当技術分野で周知の手段の１つにより行われてもよい。
【００１３】
いくつかの形態において、パッケージは、例えば、ブリスタ、パウチ、小袋、ブロー成形容器または押出容器を含む、当技術分野で周知の形態の１つを用いた薄壁から構築される。いくつかの形態において、パッケージは、投与可能な製品を生成するために、対象者へ送達する前に混合する必要のある多くの物質を保存する１つ以上の区画室を有してもよい。脆弱シールを分離（例えば、破断または剥離）させ、物質の混合を可能にする、物質の少なくとも１つの閾値圧力を上回るように、区画室の少なくとも１つを圧縮することによって破壊可能である脆弱シールにより区画室を分離してもよい。パッケージはさらにディスペンサへの境界を備える。
【００１４】
いくつかの形態において、製品はカートリッジから投与装置へ移送される。いくつかの形態において、カートリッジは投与装置内で交換される。いくつかの実施形態において、カートリッジは、製造段階でディスペンサに無菌状態で接続され、したがって、使用者によるカートリッジとディスペンサを一体化するステップが不要となる。この形態は、ディスペンサの充填装着工程の前またはその工程中の非滅菌状態への曝露を防ぐので、使用者によるミスの可能性または装置もしくは送達可能な製品の汚染の可能性を低減する。別の形態において、カートリッジは、使用時まで投与装置（すなわち、シリンジ、注射器など）とは別に保存される。この形態は、制御温度での冷却など、制御環境下で薬物を保存して搬送する必要がある場合や包装効率が重要である場合に有効であり得る。この形態はまた、異なる供給源および送達装置の種類を選択する物流および使用者の柔軟性を向上させるために有効であり得る。
【００１５】
いくつかの形態において、投与装置は、注射器であってもよい。注射器という用語は、例えば、ペン型注射器、リザーバアセンブリ、シリンジ、無針注射器、一般の薬物送達装置、パッチ装置などのマイクロ注入ポンプまたはリザーバを含む様々な投与製品を意味する。さらに一般に、本開示のカートリッジは、例えば、点眼器、経口点滴器または耳用点滴器、スプレーディスペンサまたは泡ディスペンサ、局所塗布器、および吸入装置を含む投与装置に適用可能である。
【００１６】
別の形態において、送達可能な製品の混合を促進し、その均一性を高めるために、静的混合器がカートリッジ装置と薬物送達装置との境界に配置される。静的混合器の一例は、米国特許第４，５３８，９２０号明細書に教示されており、その全体が参照により本明細書に組み込まれる。いくつかの形態において、静的混合器は、壁の指定された領域を溶着し、予め形成することによって可撓壁の壁間に形成された通路のパターンとして構成される。静的混合器は、単なる細長いノズルか、またはカートリッジと送達装置との間の流通路内に収容された多孔質部材であってもよい。一形態において、静的混合器はカートリッジポート内に配置される。一形態において、カートリッジは異なる物質を保持する１つ以上の区画室を備え、内容物を送達装置に移送する前にこれらの区画室が統合される、また静的混合器は、物質が送達装置に移送されるときに物質の混合を促進する。
【００１７】
いくつかの形態において、さらに物質を混合するために、混合物をカートリッジと送達装置との間で往復させてもよい。いくつかの形態において、少なくとも１つの物質をカートリッジ内に保存し、かつ少なくとも１つの物質を送達装置内に保存する、そして、それら２つの間で物質を往復させて混合する。一形態において、カートリッジは、少なくとも第１区画室と第２区画室とを備え、少なくとも１つの静的混合器が第１区画室と第２区画室との間に配置される。物質又は混合物を一方の区画室から他方の区画室へ移送することにより混合を促進してもよい。静的混合器を横切る物質の移送を容易にするために、少なくとも１つの圧縮パネルまたは圧縮パネルの配列をカートリッジで操作してもよい。
【００１８】
本開示はまた、効率的なカートリッジの製造および充填を容易にする形態および方法に関する。一形態において、パッケージの区画室に流体が充填される。区画室は、流体を導入しかつ空気を排出するポートに通じる指定された通路を残して封止形成される。ガス排出のための別個の通路を組み込んでもよい。通路は、ポートに進入する流体がパッケージの壁に沿って滑るように進むよう構成してもよく、したがって、噴射を防ぎ、発泡または気泡の形成を最小限に抑え、これにより、充填率の向上を可能にする。
【００１９】
別の形態において、液体物質は、充填前に凍結され固形でパッケージ内に導入される。充填工程中のパッケージの周囲の温度およびパッケージへの熱伝達は、区画室が封止されるまで凍結液が実質的に固体の状態であるように制御される。凍結液物質の用量は、充填前または充填中にその凍結した形態で検査することができる。この充填形態および方法により、充填速度および物質検査能力が向上する。一形態においては、乾燥粉末物質をカートリッジ区画室内に充填しなければならない。粉末の適切な充填を容易にするために、粉末を僅かに圧縮して、緩く凝集した錠剤を形成し、錠剤の形態でパッケージの区画室内に充填する。錠剤は、カートリッジへの充填前または充填中に検査することができる。一形態において、錠剤が区画室内に封止された後に、区画室を外部から操作して錠剤を非凝集状態とし、これにより、希釈剤との混合時の物質の溶解性を向上する。外部操作は、これらに限定されるものではないが、区画室の圧縮、例えば、超音波振動、高周波振動、音響振動を含む振動、区画室への機械的衝撃の付加、高温または低温への曝露のうちの少なくとも１つであってもよい。
【００２０】
本開示はさらに、高バリア性で剥離可能な不透明の壁層を含むことによりパッケージのバリア性を高める形態に関する。剥離可能な高バリア層は、遮光の利点ならびにほぼ完全な水分バリアおよび酸素バリアをもたらすアルミニウム積層体を含んでもよい。使用前にカートリッジの内容物を目視検査するために、パッケージの少なくとも一部分から高バリア層を剥離し、実質的に透明な壁を露出させる。一形態において、剥離層は、パッケージが製造されるウェブ材料の一体層である。一形態において、剥離層は、カートリッジ製造工程中に透視壁に貼り付けられる。一形態において、剥離層は平坦である。別の形態において、剥離層は、保護する物質または区画室の形状を調節するように予め形成される。一形態において、剥離層は、剥離層の封止周縁部に選択的に施され、正確に位置合わせされた接着剤コーティングを備える。一形態において、カートリッジは可撓性透明壁の筒状体であり、剥離層は筒体の周りを包むように配設される。
【００２１】
本開示の別の態様は、充填可能なリザーバを有する有益剤の送達装置と共に使用するカートリッジに関する。カートリッジは、第１区画室および第２区画室を有する再構成式（ｒｅｃｏｎｓｔｉｔｕｔｉｏｎ）の単位用量パッケージと、嵌合体とを含む。第１区画室は有益剤の少なくとも第１成分を収容する。第２区画室は有益剤の少なくとも第２成分を収容する。嵌合体は、パッケージを充填可能なリザーバに連結するために、パッケージに配置される。
【００２２】
本開示の別の態様は、充填可能なリザーバを有する有益剤の送達装置と共に使用する無菌カートリッジに関する。カートリッジは、少なくとも第１区画室と嵌合体とを有するパッケージを含む。第１区画室は有益剤の少なくとも第１成分を収容し、パッケージは、予め形成された可撓壁により少なくとも部分的に画定される。嵌合体は、充填可能なリザーバに流体連通した状態でパッケージを連結するために、パッケージに配置される。
【００２３】
本開示のさらなる態様は、充填可能なリザーバを有する有益剤の送達装置と共に使用するカートリッジに関する。カートリッジは、裏当てとパッケージアセンブリとを含む。パッケージアセンブリは、少なくとも第１区画室と嵌合体とを含む。第１区画室は、有益剤の少なくとも第１成分を収容し、可撓壁により少なくとも部分的に画定される。嵌合体は、充填可能なリザーバに流体連通した状態でパッケージを連結するために、パッケージに配置される。
【００２４】
本開示の別の態様は、充填可能なリザーバを有する有益剤の送達装置と共に使用するカートリッジに関する。カートリッジは、少なくとも第１区画室と、嵌合体と、カプラとを有するパッケージを含む。第１区画室は、有益剤の少なくとも第１成分を収容する。嵌合体はパッケージに配置される。カプラは、充填可能なリザーバに流体連通した状態でパッケージを連結するために、嵌合体に接合される。
【００２５】
さらなる態様は、充填可能なリザーバを有する有益剤の送達装置と共に使用するカートリッジに関する。カートリッジは、有益剤の全てまたは有益剤の全成分を収容する単位用量パッケージを含む。カートリッジは、有益剤の全てまたは有益剤の少なくとも第１成分を収容する少なくとも第１区画室を含み、第１区画室は、可撓壁により少なくとも部分的に画定される。カートリッジはまた、充填可能なリザーバに流体連通した状態でパッケージを連結するために、パッケージに配置された嵌合体を含む。
【００２６】
さらなる態様は、単一のリザーバを備える単位用量の有益剤の送達装置における投与部分を囲繞する充填済みキャップに関する。充填済みキャップは、有益剤の少なくとも第１成分を収容する少なくとも第１区画室と、第１区画室を投与部分に連通させる流体通路とを含む。
【００２７】
本開示による有益剤の単位用量ディスペンサは、送達装置とカートリッジとを含む。送達装置は、充填可能な単位用量リザーバと、充填可能なリザーバに連通した少なくとも１つのポートとを有する。カートリッジは、送達装置に無菌接合され、単位用量パッケージを含む。単位用量パッケージは、少なくとも第１区画室と、嵌合体と、開封可能なシールとを含む。第１区画室は、有益剤の少なくとも第１成分を収容し、パッケージは、可撓壁により少なくとも部分的に画定される。嵌合体は、単位用量パッケージに接合され、単位用量パッケージを送達装置に連結する。開封可能なシールは、第１区画室とリザーバとの間に配置される。
【００２８】
本開示の別の態様は、有益剤を投与するための充填済みシリンジに関する。充填済みシリンジは、ピストンアセンブリと、投与部分を備える充填可能なバレルと、有益剤の少なくとも第１成分を収容する少なくとも第１区画室および第１区画室内の内容物をバレルに連通する流通路を備える充填済みカートリッジとを含む。
【００２９】
本開示のさらなる態様は、送達装置の投与部分のためのキャップに関する。キャップは、流体通路と、投与部分に連通するように構成された近位端と、遠位端とを備える。
【００３０】
本開示による例示的な方法は、有益剤の充填済みパッケージを形成する方法に関する。この方法は、第１面と第２面との間に少なくとも第１成分区画室の境界を形成するように接合された第１面および第２面を有するウェビングを準備するステップと、境界の少なくとも一部分に沿って脆弱シールを形成するステップと、永久シールが脆弱シールの少なくとも一部と重なり、永久シールと実質的に同一のシール性を有する重なり部分を作り出すように永久シールを形成するステップと、第１成分区画室に充填するステップとを含む。
【００３１】
本開示による別の例示的な方法は、有益剤の充填済みパッケージを形成する方法に関する。この方法は、有益剤用のガス充填区画室を形成するステップと、封止可能な第１流路を介してガス充填区画室に連通する充填ポートを有する充填区画室を形成するステップと、封止可能な第２流路を介してガス充填区画室に連通する排気ポートを有する排気区画室を形成するステップとを含む。この方法はまた、有益剤の少なくとも第１成分の供給源を流体密態様で充填ポートに結合するステップと、排気ポートを通してガスを排出する一方で、供給源から充填流路を介してガス充填区画室に充填するステップと、封止可能な第１流路および充填流路を封止するステップとを含む。
【００３２】
本開示によるさらなる方法は、組み立てられた送達装置を受け取るステップと、有益剤の少なくとも第１成分が予め充填された、充填済みの無菌封止されたカートリッジを受け取るステップと、送達装置と無菌封止されたカートリッジとを一体化するステップとを含む、有益剤用の単位用量の送達装置を製造する方法に関する。
【００３３】
別の例示的な方法は、液状の有益剤の単位用量をパッケージに充填することに関する。この方法は、有益剤の計量された単位用量を型内で凍結させて凍結用量を作り出すステップと、半完成の区画室内に凍結用量を入れるステップと、区画室を封止するステップとを含む。
【００３４】
別の例示的な方法は、流動性固形物の形態である有益剤の少なくとも第１成分の計量された用量をパッケージに充填することに関する。この方法は、第１成分の用量を計量するステップと、計量された用量を十分に圧縮して単一体を形成するステップと、単一体を半完成のパッケージ内に入れるステップと、パッケージを封止するステップと、パッケージの壁を通してエネルギーを単一用量に向け、単一用量を粒状物に変えるステップとを含む。
【００３５】
本発明の用途は、薬物送達に限定されるものではなく、この薬物送達は、本明細書において例示として提供されている。本明細書に記載の教示は、例えば、接着剤分配、薬液投与などの他の分野における投与装置に適用することができる。本開示は、これを実現するための様々な構造を提供する。
【図面の簡単な説明】
【００３６】
【図１ａ】図１ａは、様々な構造に使用できる、ブリスタパッケージがキャップに連結された注射器カートリッジアセンブリを図示する。
【図１ｂ】図１ｂは、様々な構造に使用できる、ブリスタパッケージがキャップに連結された注射器カートリッジアセンブリを図示する。
【図１ｃ】図１ｃは、様々な構造に使用できる、ブリスタパッケージがキャップに連結された注射器カートリッジアセンブリを図示する。
【図１ｄ】図１ｄは、様々な構造に使用できる、ブリスタパッケージがキャップに連結された注射器カートリッジアセンブリを図示する。
【図１ｅ】図１ｅは、様々な構造に使用できる、ブリスタパッケージがキャップに連結された注射器カートリッジアセンブリを図示する。
【図１ｆ】図１ｆは、様々な構造に使用できる、ブリスタパッケージがキャップに連結された注射器カートリッジアセンブリを図示する。
【図２ａ】図２ａは、様々な構造に使用できる、ブリスタパッケージがキャップに連結されたシリンジアセンブリを図示する。
【図２ｂ】図２ｂは、様々な構造に使用できる、ブリスタパッケージがキャップに連結されたシリンジアセンブリを図示する。
【図３ａ】図３ａは、様々な構造に使用できる、パッケージがピストンのステムに連結され、かつステムから軸方向に延在する、充填済みシリンジアセンブリを図示する。
【図３ｂ】図３ｂは、様々な構造に使用できる、パッケージがピストンのステムに連結され、かつステムから軸方向に延在する、充填済みシリンジアセンブリを図示する。
【図４】図４は、様々な構造に使用できる、ブリスタパッケージがステムに連結され、かつステムから横方向に延在する、シリンジアセンブリを図示する。
【図５ａ】図５ａは、ばね駆動式無針自動注射器内の充填済みカートリッジを図示する。
【図５ｂ】図５ｂは、ばね駆動式無針自動注射器内の充填済みカートリッジを図示する。
【図６】図６は、点火駆動式無針自動注射器内の充填済みカートリッジを図示する。
【図７】図７は、押出筒から製造されたカートリッジを図示する。
【図８】図８は、無針自動注射器に装着された、押出筒から製造されたカートリッジを図示する。
【図９ａ】図９ａは、シリンジに取り付けられた、押出筒から製造されたカートリッジを図示する。
【図９ｂ】図９ｂは、シリンジに取り付けられた、押出筒から製造され、剥離可能な保護箔を有するカートリッジを図示する。
【図１０ａ】図１０ａは、成形壁の剥離可能部分、および吐出ポートの周囲に無菌区画室を形成する延長壁部分を備えたカートリッジ、ならびに複数の操作ステップを図示する。
【図１０ｂ】図１０ｂは、成形壁の剥離可能部分、および吐出ポートの周囲に無菌区画室を形成する延長壁部分を備えたカートリッジ、ならびに複数の操作ステップを図示する。
【図１０ｃ】図１０ｃは、成形壁の剥離可能部分、および吐出ポートの周囲に無菌区画室を形成する延長壁部分を備えたカートリッジ、ならびに複数の操作ステップを図示する。
【図１０ｄ】図１０ｄは、成形壁の剥離可能部分、および吐出ポートの周囲に無菌区画室を形成する延長壁部分を備えたカートリッジ、ならびに複数の操作ステップを図示する。
【図１０ｅ】図１０ｅは、成形壁の剥離可能部分、および吐出ポートの周囲に無菌区画室を形成する延長壁部分を備えたカートリッジ、ならびに複数の操作ステップを図示する。
【図１１】図１１は、平坦壁の剥離可能部分を備えたカートリッジを図示する。
【図１２】図１２は、カートリッジの壁の外面に取り付けられたフランジ付き吐出ポートを備えたカートリッジを図示する。
【図１３】図１３は、シリンジと針に連通する弁付きカプラに連結されたカートリッジを図示する。
【図１４】図１４は、シリンジバレルの遠位端に連結されたカートリッジを図示する。
【図１５】図１５は、有益剤の凍結乾燥に対応した半完成カートリッジを図示する。
【図１６】図１６は、カートリッジ内に保存された２つの成分の混合を容易にする静的混合器を吐出ポートに備えたカートリッジを図示する。
【図１７】図１７は、カートリッジ内に収容された第１成分とシリンジ内に収容された第２成分とを混合するためのシステムを図示する。
【図１８】図１８は、カートリッジ内に収容された第１成分と第２成分とを混合するシステムを図示する。
【図１９】図１９は、ブリスタ型カートリッジに一体に形成された静的混合器を図示する。
【図２０ａ】図２０ａは、カートリッジの製造方法を図示する。
【図２０ｂ】図２０ｂは、カートリッジの製造方法を図示する。
【図２０ｃ】図２０ｃは、カートリッジの製造方法を図示する。
【図２０ｄ】図２０ｄは、カートリッジの製造方法を図示する。
【図２０ｅ】図２０ｅは、カートリッジの製造方法を図示する。
【図２１ａ】図２１ａは、シリンジ内に収容された物質をカートリッジ内に収容された物質と混合するための静的混合器を備えるシリンジを図示する。
【図２１ｂ】図２１ｂは、シリンジ内に収容された物質をカートリッジ内に収容された物質と混合するための静的混合器を備えるシリンジを図示する。
【図２１ｃ】図２１ｃは、シリンジ内に収容された物質をカートリッジ内に収容された物質と混合するための静的混合器を備えるシリンジを図示する。
【図２１ｄ】図２１ｄは、シリンジ内に収容された物質をカートリッジ内に収容された物質と混合するための静的混合器を備えるシリンジを図示する。
【図２１ｅ】図２１ｅは、シリンジ内に収容された物質をカートリッジ内に収容された物質と混合するための静的混合器を備えるシリンジを図示する。
【図２２ａ】図２２ａは、嵌合体を介して固定針シリンジに連通するカートリッジを図示する。
【図２２ｂ】図２２ｂは、嵌合体を介して固定針シリンジに連通するカートリッジを図示する。
【図２３ａ】図２３ａは、カートリッジおよびカプラを介して取り付け可能な固定針シリンジを図示する。
【図２３ｂ】図２３ｂは、カートリッジおよびカプラを介して取り付け可能な固定針シリンジを図示する。
【図２３ｃ】図２３ｃは、カートリッジおよびカプラを介して取り付け可能な固定針シリンジを図示する。
【図２３ｄ】図２３ｄは、カートリッジおよびカプラを介して取り付け可能な固定針シリンジを図示する。
【図２３ｅ】図２３ｅは、カートリッジおよびカプラを介して取り付け可能な固定針シリンジを図示する。
【図２３ｆ】図２３ｆは、カートリッジおよびカプラを介して取り付け可能な固定針シリンジを図示する。
【図２４】図２４は、固定針カプラの別の形態を図示する。
【図２５ａ】図２５ａは、注射針を収容するカプラを備えるカートリッジを図示する。
【図２５ｂ】図２５ｂは、注射針を収容するカプラを備えるカートリッジを図示する。
【図２５ｃ】図２５ｃは、注射針を収容するカプラを備えるカートリッジを図示する。
【図２６】図２６は、皮内（ＩＤ）注射アダプタを備えたシリンジに用いられるカートリッジを図示する。
【図２７ａ】図２７ａは、ＩＤシリンジに連結されたカートリッジを図示する。
【図２７ｂ】図２７ｂは、ＩＤシリンジに連結されたカートリッジを図示する。
【図２８】図２８は、ＩＤシリンジに連結されたカートリッジの別の形態を図示する。
【図２９ａ】図２９ａは、ＩＤ針の形態を備えるカートリッジの別の形態を図示する。
【図２９ｂ】図２９ｂは、ＩＤ針の形態を備えるカートリッジの別の形態を図示する。
【図３０】図３０は、ＩＤ針の形態を備えるカートリッジの別の形態を図示する。
【図３１ａ】図３１ａは、針安全無効化機構を備えるカートリッジを図示する。
【図３１ｂ】図３１ｂは、針安全無効化機構を備えるカートリッジを図示する。
【図３２】図３２は、移動可能な針を備えたカートリッジを図示する。
【図３３ａ】図３３ａは、充填済みシリンジの形態を図示する。
【図３３ｂ】図３３ｂは、充填済みシリンジの形態を図示する。
【図３３ｃ】図３３ｃは、充填済みシリンジの形態を図示する。
【図３３ｄ】図３３ｄは、充填済みシリンジの形態を図示する。
【図３３ｅ】図３３ｅは、充填済みシリンジの形態を図示する。
【図３４】図３４は、カートリッジの充填済みパッケージを保護する裏当ておよび壁を備えたカートリッジを図示する。
【図２５ｄ】図２５ｄは、充填済みキャップの２つのサブアセンブリを示している。
【図２５ｅ】図２５ｅは、カートリッジのキャップ部分の分解図を示している。
【図３ａ】図３ａの符号３９は、嵌合体を示している。
【図３ｂ】図３ｂの符号３９は、嵌合体を示している。
【図４】図４の符号４９は、嵌合体を示している。
【図１５】図１５の第２区画室は、空の状態で密封され、図に記載のように、充填装置１５２を介して充填可能である。
【図２０ｆ】図２０ｆは、脆弱シールのパターン４０１を示している。
【図２０ｇ】図２０ｇは、脆弱シールと部分的に重なる永久シールのパターン４０２を示している。
【発明を実施するための形態】
【００３７】
図１ａは、注射器１１とカートリッジ１０の形態を示す。この図は、図１ｂの断面図の切断線を提供する。図１ｂは、注射器アセンブリ１１とカートリッジ１０の断面図を図示する。注射器１１は、バレル状の本体１３と、本体に配置され本体の軸線に沿って前進した空状態と後退した充填状態との間で移動可能であるピストン１４とを備える。ピストン１４はさらに、本体とピストンとの間に流体密封を実現し、ピストンの前方で流体用量を受容する区画室を画定するＯリングシール１４’を備える。区画室は、ピストンを本体１３内の最前方位置まで前進させた空の状態で示されている。本体の前部にあるジェットノズル１７は、注射器１１に流体用量を充填するため、また流体用量を無針ジェット注射方式で対象者に皮下送達するためのポートを提供する。
【００３８】
カートリッジ１０は、２つの空洞を設けるように形成された第１薄壁１８’と、第１封止区画室１５および第２封止区画室１６を画定するように第１薄壁１８’に対して封止する第２薄壁１８”とを備える。嵌合体１２は、第１壁１８’と第２壁１８”との間でパッケージに取り付けられる。嵌合体１２は、注射器本体１３の前部に係合するように構成される。第１脆弱シール部１９’は、第１区画室１５と第２区画室１６とを分離し、所定の閾値力により剥離可能である。第２脆弱シール部１９”は、第２区画室１６と嵌合体１２とを分離し、所定の閾値力により剥離可能である。薄壁１８’および１８”は、押出ウェブ、ブローウェブ、成形ウェブ、多層ウェブ、積層ウェブ、塗布処理したウェブ、アルミニウム層などの金属化層を含むウェブ、アルミナまたはシリカなどの金属酸化物層を含むウェブ、環状オレフィン重合体（ＣＯＰ）、環状オレフィン共重合体（ＣＯＣ）、ポリクロロトリフルオロエチレン（ＰＣＴＦＥ）、エチレンビニルアルコール（ＥＶＯＨ）を含む高バリア層を含むウェブを含む、フィルムまたは箔（共に「ウェブ」または「ウェブ材料」と称される）の一種から製造されてもよい。ウェブ材料の内側接着剤層は、オレフィンアイオノマー、エチレン酢酸ビニル（ＥＶＡ）または他の材料から製造されてもよい。
【００３９】
区画室の周囲における外周シールの指定された領域の剥離力が他の領域よりも低くなるように、制御された剥離力を有する接着剤層をウェブに組み込み、これにより、第１壁１８’と第２壁１８”との間のシール領域に閾値剥離力を加えたときに破断させる領域を限定することが有効であり得る。１つのそのような接着剤層は、１３０℃のシール温度で剥離性のシールおよび１７０℃のシール温度で永久的非剥離性のシールを作り出すアイオノマーブレンドの銘柄ＥＺ  Ｐｅｅｌ登録商標（ウィスコンシン州ＮｅｅｎａｈのＢｅｍｉｓ社）であり、したがって、２段階の溶着工程を異なる温度で実施することによりシール性を良好に制御することができる。
【００４０】
第１壁１８’と第２壁１８”との間に所望の封止力パターンを実現する別の手法は、異なる剥離強度を有する少なくとも２つの接着剤タイプの選択的な接着剤パターンでウェブの内層を作ることである。嵌合体１２をウェブの内層に対して良好な接着性を有するオレフィン重合体から製造してもよい。いくつかの形態において、嵌合体は、第１壁１８’または第２壁１８”の一方の外側に取り付けられ、ウェブ内の貫通孔は、カートリッジ１０の内容物と嵌合体１２とを連通する。この形態において、嵌合体の材料は、ウェブ外層の材料への取り付けに適合した材料であるべきである。カートリッジ区画室１５，１６は、様々な物質を収容することができる。一実施形態において、第１区画室１５は希釈剤を収容し、かつ第２区画室は乾燥形態の有益剤を収容し、そして、投与可能な製品用量を形成するために、２つの区画室の内容物を混合する必要がある。一実施形態において、第１区画室１５は生理食塩水または注射用水などの希釈剤を収容し、第２区画室は乾燥粉末形態のワクチンを収容する。
【００４１】
第１区画室１５および第２区画室１６の内容物は、液体、ゲル、ペースト、スラリー、固体、顆粒、ペレット、流動性粉末、圧縮粉、ケーキ、凍結乾燥ケーキ、または当技術分野で周知の他の形態を含む様々な形態であってよい。第１区画室が流動性材料を収容する場合、第１区画室１５を押圧して内容物を加圧し、それによって第１脆弱シール１９’に力を加えてシールを剥離することにより、第１脆弱シール１９’を分離させることができ、区画室１５と区画室１６との間に結合された区画室を作り出して、２つの区画室の内容物の混合を可能にする。結合された区画室を押圧して区画室の内容物を加圧し、それによって第２脆弱シール１９”に剥離力を生じさせることにより、第２脆弱シール１９”を破断することができる。
【００４２】
図１ｃは、注射器１１に取り付けられたカートリッジ１０を示す。嵌合体１２は、注射器本体１３の前端に係合しており、好ましくは、嵌合体領域内に無菌ゾーンを形成する。嵌合体１２の通路と注射器ノズル１７とは流体連通している。非経口で皮下に薬物を送達する用途に関しては、送達可能な物質に接触する装置の領域全ておよび対象者の体に接触することになる領域を、使用時まで滅菌状態に維持する必要がある。図１ｃの形態において、注射器１１とカートリッジ１０との無菌係合により、その領域に対する滅菌性が維持される。バレル１３内側の滅菌性は、本体１３後端の第２シール、本体１３およびピストン１４の後部分の局所的上包み、または装置全体に対する滅菌上包みにより維持してもよい。加えて注射器本体１３の前部領域および嵌合体１２に無菌カバーが必要になるが、同様の解決策が図１ｂの形態に適用できる。
【００４３】
嵌合体１２の滅菌性は、ポート領域を保護するリードまたはキャップにより達成してもよい。箔リードがポート周囲の垂直壁の周縁部に熱シールされてもよい。一実施形態において、カートリッジ１０は滅菌上包み内で保存される。物質の少なくとも１つが乾燥形態である、いくつかの実施形態において、水分がウェブ１８，１８’壁を越えて乾燥区画室に移動することを防ぐために、滅菌上包み内に乾燥剤カプセル、乾燥剤ペレット、または乾燥剤ゲルなどの乾燥剤を含むことが有効であり得る。一実施形態において、乾燥物質をウェブ中に組み込んでもよい（この形態は、時としてスカベンジャフィルム（ｓｃａｖｅｎｇｅｒ  ｆｉｌｍ）と称される）。注射器とは別にカートリッジを包装することにより、製剤の管理された状態での保存および搬送を向上させる。図１ｂの形態における本体１３前端の滅菌性は、密着キャップ、ノズル１７領域周囲の熱シール箔を含む様々な方法で、また滅菌上包みで注射器全体を包装することにより達成することができる。それゆえ、図１ｃの形態は、製品の滅菌性を維持するために講じる必要がある対策を軽減するのに有効であり得る。
【００４４】
ここで図１ｄを参照すると、脆弱シール（図１ｃの１９’および１９”）を破断させた後の図１ｃの構成が示されており、結合された区画室１６’が、嵌合体１２の通路に流体連通するように形成されている。
【００４５】
図１ｅは、ピストンを本体１２から後退させ、結合された区画室１６’からの流体を注射器１１内に流入させたときの先の図１ｄの構成を示す。
【００４６】
図１ｆは、ピストン１４が完全に後退した状態にある先の図１ｅの構成を示す。結合された区画室１６’が完全に空になり、区画室の内容物が注射器１２に完全に移送される。カートリッジ１１が取り外され、この時点で注射器１２には、送達可能な製品用量が装填されており、すぐに使用できる状態である。形態が予め滅菌される場合、注射器の前部は、嵌合体１２が取り外されるこの時点まで滅菌状態で維持されている。この形態は、注射器充填ステップの前でさえ、注射器の適用面が非滅菌領域に曝され、対象者への汚染の危険性を高める市販の形態と比較して有効であり得る。
【００４７】
本形態は、ジェット注射器カートリッジの無菌充填形態を示している。本開示のさらなる形態において、同様の形態が、例えば、筋肉内、皮下、または皮内注射器、ならびにそれらのカートリッジ、局所塗布器、ならびにそれらのカートリッジおよびリザーバ、注入ポンプ、マイクロ注入ポンプ、注入器、マイクロ注入器、パッチ送達装置、ならびにそれらのカートリッジおよびリザーバ、輸液バックおよび輸液ボトルを含む輸液容器、経口投与用、点眼用、または耳用ディスペンサならびにそれらのカートリッジおよびリザーバ、接着剤ディスペンサ、ならびに他のディスペンサ、様々な使用形態および目的の送達装置ならびに塗布器を含む、当技術分野で周知の他のカートリッジ、ディスペンサ、または薬物送達装置に充填するために提供される。
【００４８】
図２は、充填済み混合カートリッジ１０と通常のシリンジ２０の形態を図示する。この図は、図２ｂの断面図の切断線を提供する。図２ｂを参照すると、カートリッジ１０が、ルアーロック雌コネクタで終端し、シリンジ２０のルアーロック雄コネクタに結合され、カートリッジ１０とシリンジ２０との間に流体密接続を形成する嵌合体を備えている。図１の注射器と同じ方式で、カートリッジ１０からシリンジ２０に流体を移送してもよい。シリンジ先端は、カートリッジ１０が取り外される使用時まで変わらずに無菌環境にある。この形態は、充填ステップより前にシリンジ先端または針の先端が非滅菌領域に曝され、それによって対象者への汚染の危険性が高くなる市販品と比較して有効であり得る。一形態において、ルアー結合を介してカートリッジとシリンジとを一体化する場合、カートリッジは、使用時までシリンジとは別に保存される。シリンジ２０およびカートリッジ１０の滅菌性を維持するために、図１ｂの形態に関して上述したものと同様の形態および対策が考えられる。
【００４９】
図３を参照すると、カートリッジがピストン３１の後端に連結された別の形態が提供されている。ピストン３１は、カートリッジポート９とシリンジ本体とに連通するピストンの軸線に沿った流体通路３２を備える。プランジャ３４は、ピストン３１を後退させると、プランジャ３４がバレル３３と摩擦することにより、若干ピストン３１から離れるように変位し、それによって、カートリッジの内容物がバレル３３内に移動できるようにする流体経路３５（矢印を参照）を開放するように、ピストン３１の前端に配設される。キャップ３７は、シリンジの投与先端３６の周囲の無菌空間を維持する。図３ｂは、ピストン３１を完全な後退位置まで後退させた後、ピストン３１を前進させた図３ａの形態を図示する。カートリッジ１０は、その内容物が完全に使い果たされた状態である。ピストン３１を前進させると、プランジャ３４がピストン３１ヘッドにより近い位置に戻され、それによってバレル３３の内容物がシリンジポート３６にしか進むことができないように通路３２を封止する。
【００５０】
投与先端または投与先端に連結された針が、充填工程より前に非滅菌領域に曝される市販のシリンジと異なり、この構造では、使用の直前に、充填工程の後初めて、キャップが先端３６から取り外される。カートリッジは、例えば、ルアーコネクタ、バーブコネクタ、圧入コネクタ、隔壁装置、連結筒、または互いの接着を含む当技術分野で周知の様々な手段によりシリンジに結合されてもよい。一形態において、カートリッジは、ピストン内の空き空間内に配置される。
【００５１】
ここで図４を参照すると、カートリッジ１０が、ピストン４３の後端に接続され、ピストン４３から横方向に延在する形態が図示されている。弁４４は、カートリッジ１０からバレル４０への流体の移動を可能にする流体通路４２の後端に配置されるが、流体が反対方向に流れるのを防止し、これにより、ピストンを前進させると、全用量が投与先端４５にのみ流れる。一形態において、ピストン４４はまた、カートリッジ１０が空になった後に、流通路４２内への空気の流入を可能にし、これにより流体を通路からバレルに前進させる。一実施形態において、専用の無菌区画室は、カートリッジの有益剤が空になった後に、流体通路４２内への水又は空気の流入を可能にし、残留した有益剤を通路から押し流す。一形態において、前記水または空気の区画室は、カートリッジ１０アセンブリの一部である。
【００５２】
図５ａは、注射器本体５２内の圧力室５１内に配置されたカートリッジ１０を備えるジェット注射器を図示する。カートリッジ１０は、注射器本体の前端に連結された無針ジェットノズル１７を備える。ピストン５３は、本体５２内に配置され、係止機構（図示せず）により使用前位置に係止され、圧力室５１の容積を減じるように前方に付勢される。一形態において、カートリッジ１０は使用前に１つより多い区画室を備え、カートリッジ１０を取り外し、図１に述べたのと同様の手順に従うことにより、それらが手動で混合され、その後、本体５２内にカートリッジ１０を戻す。
【００５３】
図５ｂは、ピストン５３がディテント機構から解放されて、ばね５４により前方に押し出され、圧力室５１を加圧し、それによって、カートリッジの壁を崩壊させ、ノズル１７を通してカートリッジの壁にカートリッジ１０の内容物を絞り出させた後の注射器５０を示す。ノズル１７は、使用時まで無菌キャップまたは接着箔により保護されてもよい。
【００５４】
図６は、手動スイッチ６２で点火モジュール（ｐｙｒｏｔｅｃｈｎｉｃ  ｍｏｄｕｌｅ）６１を作動させると、点火モジュール６１により発生する加圧ガスによりピストンが前方に付勢されることを除いて、図５の形態と同様の形態を示す。
【００５５】
図７は、筒部７１全体にわたって筒部７１に沿った多くの位置７２で挟圧され熱シール７２されて、有益剤を含む少なくとも１つの区画室を形成する筒部７１から製造されたカートリッジ７０を示す。カートリッジ７０の一構造において、挟圧位置７２のシールは、閾値圧力または閾値力の存在下で剥離するように作られた脆弱シールである。筒部７１は、押出、射出成形、ブロー成形または当技術分野で周知の他の製造方法により製造されてもよい。一形態において、筒部７１は、内層が熱シール材であり、少なくとも第２層が、筒壁全体にわたって特定のガスまたは水分の移動を低減する向上したバリア性を提供する多数の層を備える。一形態において、この筒は共押出される。一形態において、筒壁の少なくとも１つの第１層は、プラスチック、金属、または金属酸化物のロール状シートから製造され、少なくとも１つの第２層は、ロール状の第１層の上に押出される。
【００５６】
図８は、前端がジェットノズル１７に取り付けられた筒部からカートリッジ８０が製造されることを除いて、図５に提示した形態と同様の無針ジェット注射器の形態を示す。
【００５７】
図９ａは、２点９９’および９９”’で挟圧され封止されて、区画室を形成する筒部９０からカートリッジ９０が製造されることを除いて、図３に提示した形態と同様のシリンジおよびカートリッジアセンブリを示す。シール９９’は、カートリッジを圧縮し、内容物を加圧すると破断して、雌ルアーロックコネクタ９２が端部に取り付けられたカートリッジとシリンジとの間の流体連通を可能にする脆弱シールである。いくつかの形態において、筒部、カートリッジ９０は、使用時までシリンジとは別に保存してもよい。上に図１〜図３で述べたものと同様の方式および対策で、製品および装置の滅菌性を達成してもよい。筒壁は、単層または多層を有してもよく、高バリア性ＰＣＴＦＥ層、アルミニウム層、ＣＯＣ層、および剥離可能な接着剤層を有してもよい。
【００５８】
図９ｂは、第１シール９９’および第２シール９９”が第１区画室９５を画定し、第１物質を保持する第２シール９９”および第３シール９９”’が、第２物質を保持する第２区画室９４を画定する筒体から製造されたカートリッジのさらなる形態を示す。第２シール９９”は、第１物質と第２物質との融合を可能にするために、第１区画室９５と第２区画室９４のいずれかまたは両方の加圧時に破断可能である。第１シールは、カートリッジとシリンジ９７との間に流体連通を確立するように破断可能である。カートリッジはさらに、カートリッジ周囲と第１区画室９５との間のバリア性を高める、第１挟圧シール部９９’および第２挟圧シール部９９”にわたって互いに封止された剥離可能なバリアシェル９６’および９６”を備える。この形態は、筒体９３のバリア性が、水分、酸素または光の透過から第１区画室９５を保護するのに不十分である場合に特に有効であり得る。
【００５９】
筒体の材料は、好ましくは、内容物の目視検査を可能にするために透明であってもよいが、これにより通常はバリア性の一部が損なわれる。剥離シェルは、カートリッジ内容物の目視検査を妨げる高バリア性アルミニウム層を含んでもよく、したがって、検査のためにシェルを剥離する必要性がある。第１タブ９８’および第２タブ９８”は、指でのシェルの剥離を容易にするために、それぞれ第１剥離シェル９６’および第２剥離シェル９６”に対する延長部として設けられる。剥離シェルは、第１区画室９５の形状を調節するように予め形成されてもよい。第２区画室９４に対するバリアシェルを形成するために、剥離シェル９６’および９６”の少なくとも１つを延長してもよい。カートリッジの内容に関するデータ、取扱説明、警告などを示す、絵、文章、バーコードまたは他の光学機械読み取り可能なデータ表示を含む印刷可能な、または他の方法で印字可能な表面を提供するために、剥離シェルの少なくとも１つを延長することができる。剥離シェルは、単一もしくは多層のフィルムまたは箔（共に「ウェブ」）から製造されてもよく、剥離可能なシールを形成するために、感圧接着剤、静電接着剤または感温接着剤を含んでもよい。
【００６０】
図１０ａは、第２区画室１６が剥離層１０５を備える別の好ましい形態１００を示す。様々な用途で、例えば、２つ以上の区画室の内容物を混ぜ合わせた後の統合した区画室または１つもしくは複数の区画室の内容物を目視（もしくは光学的計測により）検査することが望ましい用途において、パッケージの少なくとも一部分を透明材料から製造することが望ましい。しかしながら、典型的には、透明材料は、不透明である箔よりも水蒸気透過率（ＭＶＴＲ）が高く、（複数の）区画室とパッケージ周囲との間により低いバリアを提供する。製品の中には、相対湿度レベルが２％または３％より高い状態で有効性が損なわれる乾燥ワクチンなどの、水分に極めて敏感なものもある。さらに、ワクチン粉末の目視検査は、使用前に製品に異物が混入されていないことを確認し、混合後にワクチン粉末が希釈剤に完全に溶解しているかを検査するために重要である。
【００６１】
本開示の一形態において、カートリッジは、カートリッジの周囲に乾燥環境を維持する、乾燥剤を含む上包み内で保存される。一形態において、上包み材料は、乾燥剤物質がウェブ材料の組成物中に埋め込まれた「スカベンジャフィルム」として業界で知られている種類のものである。図１０ａにおいて、パッケージ１００の粉末区画室は、高バリア性の剥離可能な成形層１０４を備えており、この成形層１０４は、不透明であるかまたは光透過性が抑制されている。いくつかの形態において、剥離層が、光からのバリアを提供してもよい。高バリア性の透明材料は通常、低バリア性の透明材料よりもコストがかかる。いくつかの形態において、製造コストを低減するために、パッケージのより大きな成形壁１８’が低バリア性材料から製造される一方で、局所的剥離層１０４は、Ａｃｌａｒ（Ｈｏｎｅｙｗｅｌｌ社）を含むフィルムなどの高バリア性の透明材料から製造される。剥離層１０４が、成形壁１８’には欠けている他の所望の特性を付与されてもよい。剥離層１０４は、成形壁１８’が作られた原材料の組成物の一部であってもよい。剥離層１０４を第１壁１８’の別個のウェブから製造してもよく、１つの製造構成において、２つのウェブが一緒に形成される。いくつかの形態において、壁１０８’が熱成形フィルムであり、剥離層１０４が冷間成形された箔である場合、成形工程に冷間成形と熱成形とを組み合わせたステップが含まれてもよい。
【００６２】
いくつかの形態において、剥離層１０４の空洞１０５は、成形壁１８’とは別に形成され、後に、封止態様でパッケージに取り付けられる。剥離層１０４のパッケージへの取り付けは、接着剤、膠、感圧接着剤、熱ステーク溶着（ｈｅａｔ  ｓｔａｋｅ  ｗｅｌｄｉｎｇ）、超音波溶着などを含む当技術分野で周知の手段の１つにより達成されてもよい。一形態において、剥離層１０４は、ダイカット接着剤シートを介して第１壁１８’に封止される。ダイカット接着剤は、第１壁１８’に付着させることができ、次の段階で、剥離層１０４が第１壁に取り付けられる。代替的に、ダイカット接着剤は、剥離層１０４に付着させることができ、次の段階で、第１壁１８’が剥離層に取り付けられる。剥離層１０４は、アルミニウム積層またはアルミニウムコーティングを有してもよい。
【００６３】
この形態１００はさらに、使用時まで無菌筐体内で吐出ポートを保持する吐出ポート区画室１０３を備える。吐出ポート区画室１０３は、パッケージ１００のウェブ材料の延長部１０１内に形成される。引き裂き用ノッチ１０２により、吐出ポートを露出させるための延長部分１０１の取り外しが容易になる。図１０ｂは、剥離層１０４が除去された後に、透明壁１８’を通して第２区画室の内容物の目視検査を可能にする形態１００を示す。加えて、延長部１０１が取り外されて、雌ルアーロックコネクタ形状の吐出ポート１２を露出させる。いくつかの手順では、吐出ポートの露出を最小限に抑え、汚染の危険性を低減するために、延長部１０１を取り外す前に区画室１５と１６とを統合することが望ましい。パッケージ１００の第２壁１８”は、好ましくは、積層されたアルミニウム箔、ＳｉＯｘ積層体、ＡｌＯｘ積層体などの高バリア性材料または当技術分野で周知の他の材料から製造される。
【００６４】
いくつかの形態において、第２区画室１６は、第１区画室１５と第２区画室１６との間の第１バリア１９’を破断して２つの区画室を統合させ、第２区画室１６（または統合した区画室（１５＋１６））間の第２バリア１９”を破断するように押圧される。第２区画室１６の予め形成された構造は、所望の順序およびタイミングで、バリア１９’および１９”のそれぞれの破断を制御できるようにする。区画室１６の深型形状は、区画室１６の遠位端１０６が押圧されると、第１壁１８’のこの遠位端領域１０６における緊張、ならびに遠位端領域１０６に近接する第１壁１８’と第２壁１８”とのシールが弛緩し、一方で、押圧ゾーン１０６に対向する第１壁１８’の近位領域１０９、ならびにその近位領域１０９に近接する第１壁１８’と第２壁１８”との間のシールが緊張する、その結果、第２バリア１９”は無傷のままであるが、第１バリア１９’の破断が生じるようになっている。
【００６５】
次のステップで、統合した区画室（図示せず）の近位領域が加圧されて、第２脆弱シール１９’に緊張を過度に生じさせ、第２脆弱シールを破断させて、統合した区画室と吐出ポートとの間の流体連通を確立する。無菌吐出ポート区画室１０３に加えて、またはその代替として、（雄ルアーロックキャップなどの）栓体、溶着された箔部分、（ゴム栓などの栓）、または当技術分野で周知の他の手段によりポートを無菌封止してもよい。他の封止機構が内容物を無菌的に保護し、内容物の漏出を防止するのであれば、第２脆弱シールを省略してもよい。
【００６６】
図１０ｃ〜図１０ｅは、オペレータの親指での直接操作により、脆弱シール１９’および１９”の制御された、順番に行われる破断を達成するために、カートリッジ１００を操作する１つの方法を示す。カートリッジ１００は、オペレータの手のひらの人差し指と中指の上にある。図１０ｃでは、第２区画室１６の遠位部分１０６が、親指で押圧されている。その結果、第１区画室１６の近位領域１０７における壁１８’が緊張して、第１脆弱部１９’に剥離力を加える。同時に、第２区画室１６の遠位領域１０６を親指で押圧することで、第１壁１８’のその遠位領域を緊張させないようにし、これにより、第２脆弱部１９”にかかる剥離力が除去されるかまたは最小限に抑えられる。結果として、図１０ｄに示すように、第２脆弱シール１９”が無傷のままであるが、第１区画室および第２区画室が統合した区画室１６’となり、投与可能な製品を吐出ポートに連通する前に２つの区画室の物質を混合できるようにする。図１０ｄの構造により、吐出ポートが、まだ吐出ポート区画室１０４内に封止されており、統合した区画室１６’がまだ吐出ポートに連通していないので、汚染の危険に曝されることなく、例えば、物質を適切に混合させるために、カートリッジを片側に寄せる（ｐｕｔ  ａｓｉｄｅ）ことが可能である。
【００６７】
図１０ｅでは、吐出ポート区画室が剥ぎ取られており、ポート１２はシリンジ１０８に係合している。統合した区画室１６’の近位端１０７を親指で押圧し、統合した区画室の遠位端１０６の壁を緊張させて、第２脆弱シール１９”に剥離力を加え、第２脆弱シール１９”を破断させて、吐出ポート１２を介してシリンジ１０８と統合した区画室１６’との間に流体連通を確立する。他の形態において、区画室の押圧は、平板またはローラなどの圧縮体により行われる。本開示は、注射器およびカートリッジが緊密に封止された態様でしっかりと固定されて初めて、カートリッジと注射器との間の流体連通が確立され、注射可能な製品の非滅菌領域への曝露を抑制し、製品の流出する危険性を低減する、注射器に充填するための薬物カートリッジを好適に教示している。典型的にバイアルおよびアンプルに関しては、典型的には隔壁シールを貫通するスパイクにより、注射器とカートリッジとが一体化している間に流体連通が確立される。
【００６８】
図１１は、パッケージの第２壁１８”が剥離層１１１を備え、強化された水分バリアを区画室内の物質に提供する形態を示す。成形壁１８’は、好ましくは、水分およびガスに対する高いバリアを提供する冷間成形されたアルミニウム積層体から製造される。タブ１１２により第２壁１８”の剥離がより容易になる。いくつかの形態において、剥離層１１１は、溶着または接着などの当技術分野で周知の手段の１つにより第２壁１８”に取り付けられる。一形態において、剥離層１１１は、感圧接着剤付きのラベルである。いくつかの形態において、感圧接着剤は、ラベルの特定領域には感圧接着剤の付着がないように、ラベル上に選択的に配置される。
【００６９】
剥離層は、好ましくは、剥離されるまでの間、水分およびガスに対する高いバリアを提供するアルミニウム層を備える。いくつかの形態において、剥離層は、第２壁１８”を構成するウェブの多層材料組成物の一部である。いくつかの形態において、剥離層は、第２壁１８”全体から除去される。いくつかの形態において、切り目の付けられたまたはダイカットされたパターンが、除去される剥離層１１１の領域を画定する。いくつかの形態において、第１壁１８’および第２壁１８”の分割部分は、切り目が付けられるかまたはダイカットされ、剥離層１１１の除去を容易にするタブまたは折取りタブ（ｂｒｅａｋ−ｏｆｆ  ｔｕｂ）を提供する。カートリッジ１１０は、注射器、薬物送達装置、これらのまたは他のシステムのリザーバに簡単に取り付けられてもよく、または使用前に取り外される蓋を備えてもよい。剥離層１１は、印刷された（または他の方法で印字された）情報を含み、その情報を表示するラベルとして、カートリッジ１１０から剥離された後に、人、装置、カートリッジ１１０の内容物を受容する（シリンジなどの）薬剤送達装置、または文書に貼り付けられてもよい。
【００７０】
本開示によるカートリッジの形態に他のラベルを貼り付けることができ、ラベルは、印刷されたまたは他の方法で印字された情報を含み、剥離性または非剥離性であり、さらに人、装置、または書面など他の物に貼り付け得ることが理解される。いくつかの形態において、カートリッジの情報を含む部分は、文書に、患者または装置に貼り付けられるなど、他の場所にこの情報を含めるかまたは表示するために、カートリッジの他の部分から引き裂き可能かまたは他の方法で分離可能であってもよい。
【００７１】
図１２は、吐出ポートがフランジ１２１を介して第２壁１８”の外面に取り付けられる形態を示す。フランジは、パッケージの内容物を吐出ポートに連通する、壁１８”の開口（図示せず）と一直線になる導管（図示せず）を備える。ポート１２は、熱溶着または接着を含む当技術分野で周知の手段の１つにより壁１８”に取り付けられる。カートリッジ１２０は、注射器、薬物送達装置、これらのまたは他のシステムのリザーバに簡単に取り付けられてもよく、または使用前に取り外される蓋を備えてもよい。
【００７２】
図１３は、カートリッジ１３３が、シリンジ１３１と（ここで図示されている、針シールド１３２により覆われた）針との間に配置されたマニホールド１３４に連結された形態を示す。マニホールドは、カートリッジ１３３をアクティブ化した後に、シリンジのピストンを後退させると、カートリッジ１３３の内容物をシリンジ１３１内に吸引し、ピストンを前進させると、シリンジ１３１の内容物を針に送達する弁装置を備える。いくつかの形態において、用量吸引形態から用量注射形態に切り替わったときに、マニホールドの操作により、カートリッジをマニホールド１３４から係合解除する。米国特許第７，８７９，０１８号明細書は、これを実現するための多数のマニホールド装置を教示しており、その全体が参照により本明細書に組み込まれる。
【００７３】
この図１３の形態は、使用前にピストンが内方位置にあり、製品の包装効率に有効な影響を及ぼす、充填済みシリンジの独特の形態を開示している。針安全機構および注射器無効化（ｓｙｒｉｎｇｅ  ｄｉｓａｂｌｉｎｇ）機構をこの形態に組み込むことができる。米国特許出願公開第２００９／０２２１９６２号明細書は、格納式注射器およびプランジャを教示している。シリンジは、バレルと、針が装着されたまたは装着可能な格納式針台と、プランジャであって、初期圧縮されたばねと、格納式針台に係合する手段と、一体に形成されたプランジャシールと、プランジャとの係合時に針台を後退させる速度の制御を容易にする取り外し可能な制御手段とを備えるプランジャとを備える。シリンジに充填するためにプランジャが引っ張られるときに、針台が不慮により後退することを防ぐために、針台は保持手段によりバレル内に保持される。保持手段は、バレルと一体に形成されるかまたはバレルに装着されるキャップ上に存在する複数の留め具を備える。また、エジェクタ手段も提供されており、それによって、プランジャを押し込むことにより、針を保持手段から解放するようにエジェクタ手段を促すことができ、それによってばねの復元に伴う針台の後退を可能にする。本開示の一形態において、カートリッジは、米国特許出願公開第２００９／０２２１９６２号明細書に教示されているような格納式針台を備えたシリンジに連結される。
【００７４】
図１４は、シリンジ１３１に接続された弁付きポート１４１を備えるカートリッジ１３３を示す。カートリッジ１３３から投与可能な製品をシリンジバレルに充填するステップのために、ルアーキャップ１４２が所定の位置に保持される。弁付きポート１４１は、カートリッジ１３１の区画室を統合して統合した区画室と吐出ポート１４１との間のバリアを破裂させた後に、シリンジのピストンを後退させると、投与可能な製品がカートリッジ１３３からシリンジバレルへ流れ、ピストンを前進させると、投与可能な製品がシリンジ先端へ付勢され、カートリッジに戻らないようになっている。一形態において、弁付きポートは、カートリッジ１３３からの流体の流出を可能にするとともにカートリッジ１３３内への逆流を防止する逆止弁を備える。一形態において、弁付きポートは、例えば、回転、軸方向運動、またはこれらの組み合わせによる手動操作により開放状態と閉鎖状態とに切り替わる。
【００７５】
いくつかの形態において、カートリッジは、手動操作中かまたは手動操作後に取り外し可能である。米国特許第７，８７９，０１８号明細書は、これを実現するための多数のマニホールド装置を教示しており、その全体が参照により本明細書に組み込まれる。いくつかの形態において、シリンジ１３１は、シリンジのピストンを後退させると、流れがシリンジの先端を通って流れることができず、ピストンを前進させると、流れがシリンジのバレルから流出できるように弁調整される。いくつかの形態において、シリンジの弁は逆止弁である。いくつかの形態において、シリンジの弁は手動操作される。いくつかの形態において、シリンジの弁およびカートリッジの弁付きポート１４２は、遮断するようカートリッジ弁付きポート１４２を作動させることで、開放するようシリンジの弁を作動させ、その逆も同様になるように機械的に連結される。図１４の形態は、投与先端がカートリッジを受けることができない形式である場合、例えば、投与先端が固定針、格納式針、または他の安全機構を有する場合に特に有効であり得る。
【００７６】
米国特許出願公開第２０１１／００１５５７２号明細書は、格納式注射器、プランジャおよび解放可能な針保持アセンブリを教示している。格納式注射器は、典型的にはガラス製バレルを有し、使用前に流体内容物が予め充填されている。解放可能な針保持システムは、格納式針、針シール、保持部材、および保持部材から格納式針を解放するように作動可能なエジェクタ部材を備える。保持部材は、シリンジバレルの内壁の相補的なつがい面に取り付けるためのつがい面を有する。プランジャは、プランジャ外装部、制御部材に破断可能に接続されたプランジャロッド、ばね、および格納式針に係合することが可能な単一のプランジャシールを備え、プランジャロッド、プランジャ外装部および制御部材が協働して、ばねを初期圧縮された状態に解放可能に維持する。シリンジの流体内容物を送達後に、プランジャが、エジェクタ部材を圧迫して保持部材から格納式針を解放させる。プランジャの押し込み終了時のばねの復元は、単一のプランジャシールとの係合時の格納式針の後退を容易にする。二重ロックシステムにより、針を格納した後のシリンジの再使用を防止する。本開示の一形態において、カートリッジ１３３は、図１４の弁付きポート１４１の構成を介して、米国特許出願公開第２０１１／００１５５７２号明細書に教示されているような安全注射器のバレルに連結される。
【００７７】
ここで図１５を参照すると、いくつかの形態において、物質を区画室１５内で直接凍結乾燥（フリーズドライ）することが望ましい。第１壁１８’は、予め形成された平坦な第２壁１８”に溶着される。第１区画室１５は、終端部が開口しており、この区画室の封止された最終寸法よりも長い。区画室１５は、液体物質の充填を十分に可能にする。そして、凍結乾燥工程が完了し、第１区画室１５の底面に乾燥ケーキを残すまでの間、カートリッジを凍結乾燥機内に入れる。次に、区画室が封止されて凍結乾燥した用量を無菌的に収容する。第２区画室１６は、凍結乾燥工程の前またはその工程の後に充填され封止されてもよい。
【００７８】
図１６を参照すると、第１物質を保持する第１区画室１５と、第２物質を保持する第２区画室１６とを備えるカートリッジ１６０のさらなる形態が示されており、それらの区画室は、第１物質と第２物質とが融合できるように破断可能な脆弱シール１９’により分離される。第２区画室１６は、カートリッジとシリンジまたは注射器などの投与装置との間の流体連通を可能にするように破断可能な第２脆弱シール１９”により雌ルアーロック嵌合体１２から分離される。嵌合体１２は、流体通路１６１と、流体通路１６１に配置された静的混合器１６２とを備える。この形態は、融合した第１物質と第２物質がカートリッジ１６０から投与装置へ移送されるときに、静的混合器がより均一な製品を生成するためにこれらの物質の混合を促進するような形態である。静的混合器の一例は、全体が参照により本明細書に組み込まれる米国特許第４，５３８，９２０号明細書に教示されている。静的混合器での混合作用を繰り返すために、混合物をさらに送達装置とカートリッジとの間で往復させてもよい。いくつかの形態において、静的混合器は、壁の指定された領域を溶着して予め形成することによって可撓性パッケージの壁間に形成された通路のパターンとして構成される。静的混合器は、単なる細長いノズルか、またはカートリッジと送達装置との間の流通路内に収容された多孔質部材であってもよい。
【００７９】
図１７は、カートリッジ１７０が第１物質を収容し、かつ脆弱シール１９”により雌ルアーロック嵌合体１２から分離された区画室１７１を備える好ましい実施形態を示す。嵌合体は、流体通路１６１と流体通路１６１に配置された静的混合器１６２とを備える。第２物質１７４を収容するシリンジ１７３が、カートリッジ１７０に取り付けられる。脆弱シール１９”は、第１物質と第２物質とが融合できるように破断可能である。シリンジピストンを引くことにより、第１物質が、区画室１７１からシリンジ内に吸引され、シリンジ内の第２物質と融合する。混合物の少なくとも一部をカートリッジ１７０内におよびカートリッジ１７０から移送し、材料が静的混合器１６２を通って流れるときにより均一な混合物を作り出すために、シリンジピストンを前後に操作してもよい。一形態において、区画室１７１は、第１物質と第２物質の全量を受容するように十分に膨張可能である。いくつかの形態において、カートリッジ１７１は、第１区画室をシリンジと統合する前または統合した後に、第１区画室１７１と統合される１つ以上の区画室を備えてもよい。図１６または図１７の形態と同様の形態においては、本開示の先の形態のいずれかで静的混合を実行し得ることが当業者には明らかであろう。特に、図３および図４に戻って参照すると、静的混合器をシリンジのステムまたはプランジャ内に配置してもよい。
【００８０】
図１８は、第１物質を収容する第１区画室１５と、第２物質を収容する第２区画室１６と、第１区画室１５と第２区画室１６との間に配置されるとともに、脆弱シール１８１により第１区画室１５から分離されかつ脆弱シール１８２により第２区画室１６から分離された静的混合器１８４とを備える、カートリッジ１８０の別の形態を示す。上壁１８３が破線１８３’に示す通りに再構成され、第１物質と第２物質が静的混合器１８４を介して連通できるように、第１物質と第２物質とが混合される位置で第１脆弱シール１８１および第２脆弱シール１８２を破断する。第１区画室１５の第１凹所１８５と第２区画室の凹所１８６が他の区画室から物質を受容するために膨張可能であるので、第１区画室１５および第２区画室１６は完全には膨らまない。したがって、第１区画室１５および第２区画室１６を交互に圧縮し、静的混合器１８４を通して第１物質と第２物質との混合物を移送することにより、第１物質と第２物質との良好な混合を達成してもよい。静的混合器１８４は、ここでは多孔質体として示されており、代替的には、当技術分野で周知の他の静的混合器である。
【００８１】
第３脆弱シール１９”は、混合物と嵌合体１２との間の連通を確立するように破断可能である。この形態はさらに、カートリッジ１８０を支持する裏当て１８７と、第１圧縮パネル１８８’および第２圧縮パネル１８８”を備えるロッカであって、第１パネル１８８’による第１区画室１５および圧縮パネル１８８”による第２区画室１６の押圧を交互に行うために、裏当て１８７に対して回転するように移動可能なロッカとを備える。ロッカおよび裏当ての配置は、区画室１５および１６をより効率的にかつ順序良く圧縮し、静的混合器１８４を横切るように内容物を移送することにより、混合工程の効率的な実施を容易にする。嵌合体１２を通して投与装置に混合物を移送する準備が整った時点で、第１区画室１５が空となる位置に第１圧縮パネル１８８’が静止していてもよく、これにより、混合物の実質的に全てが第２区画室１６から嵌合体１２に絞り出される。ロッカは、ヒンジまたはリビングヒンジを介して裏当て１８７に連結されてもよく、また手動でまたは装置を用いて作動させてもよい。
【００８２】
図１９は、第１物質を収容する第１区画室１５と、第２物質を収容する第２区画室１６と、それらの物質を第１区画室１５と第２区画室１６との間で往復させるときに第１物質と第２物質との混合を促進する静的混合器を形成する、予め形成された相互に交差する流路の列とを備えたカートリッジ１９０の別の形態を示す。
【００８３】
ここで図２０ａ〜図２０ｅを参照すると、１つの可能なカートリッジ製造工程が記載されている。一形態において、製造工程は、成形充填封止システムに基づき実現される。
【００８４】
図２０ａは、有益剤の成分を保存するパッケージの予め形成された可撓壁１８’であって、第１成分を受容する第１空洞１５と、第２成分を受容する第２空洞１６と、それらの空洞の間の第１連続領域１９’と、嵌合体を受容する嵌合体用の空洞と、第２区画室１６と嵌合体用空洞２０３との間の第２連続領域１９”とを備える可撓壁を示す。第１区画室は、粉末、圧縮粉または凝集粉、顆粒、ペレット、固体、錠剤、カプセル、スラリー、ペースト、高粘度流体、エマルジョン、およびこれらの組み合わせなどの非流動性材料または低流動性材料を受容するように作られる。第１物質は、充填する必要のある材料の種類に合った適切な充填システムにより、第１区画室に充填される。第２区画室１６には、水または他の低粘度の流体を充填することもできるが、表面張力または流体の他の特性により流出を引き起こす可能性があるので、空洞１６を完全に満たすことは困難であるかもしれない。
【００８５】
別の課題は、液体充填が、多くの要因（その１つは、液体が空洞１６に充填されるときに、発泡または気泡の形成を防ぐことである）のために比較的時間のかかる製造工程であることである。一形態において、この課題は、好ましくは第２区画室１６の形状を有する型内で流体のアリコートを凍結させ、それから、当技術分野で周知の手段の１つによりアリコートを固形物として扱い空洞内に導入することにより解決される。充填システムは、第２空洞１６が封止されるまで、凍結液アリコートが実質的に固形のままであるように、凍結液アリコートへの熱伝達が抑制されるように設計され、封止後、凍結液を解凍することができる。充填工程中の凍結アリコートへの熱伝達は、この工程の間の温度を実質的に低く制御し、かつ適切な熱伝達係数を用いてパッケージへの接触材料を選択することにより抑制されてもよい。第２空洞１６に導入する前に、重量および他の特性ならびにパラメータに関して凍結液アリコートを検査してもよい。
【００８６】
一形態において、（同一、同様または異なる組成を有し得る）１つ以上の凍結アリコートが、第２区画室１６に充填される。これらのアリコートは、実質的に第２区画室１６の形状を共同で形成する相補的な形状を有してもよい。一形態において、アリコートは、空洞１６内またはパッケージの相互の（ｒｅｃｉｐｒｏｃａｌ）平坦壁１８”（図示せず）上で直接凍結される。別の形態において、第２物質は、第２区画室１６に実質的に完全に充填することが困難であり得る緩い粉末または他の形態の分散性乾燥物質である。緩い粉末の充填は、製造速度の制限要因となり、アリコート充填用量の適切な検査が困難になる場合もある。一形態において、粉末の充填を容易にするために、粉末が若干圧縮されて、緩く凝集した錠剤、または単一体を形成し、当技術分野で周知の錠剤充填方法の１つにより、その形態でパッケージの区画室内に充填される。所定の圧縮率で凝集度合いを達成するために、専用の製法が必要となる可能性がある。錠剤は、第２区画室１６の充填工程前または充填工程中に検査してもよい。
【００８７】
一形態において、錠剤が区画室内に封止された後に、区画室を外部から操作して錠剤を非凝集状態とし、これにより、希釈剤との混合時の物質の溶解性（または分散性）を向上させる。外部操作は、これらに限定されるものではないが、区画室の圧縮、超音波振動、高周波振動、音響振動を含む振動、区画室への機械的衝撃の付加、高温または低温への曝露のうちの少なくとも１つにより、パッケージの壁を通してエネルギーを単一体に向けることを含んでもよい。一形態において、単一体は、空洞１６内またはパッケージの相互の平坦壁１８”（図示せず）上に直接形成される。第１区画室１５は、空洞１５を実質的に満たすために低粘度の流体を効率的に充填するための別の形態を提供する。第１充填ウェル２０１’および第２充填ウェル２０１”は、第１壁１８’に予め形成され、第１予備形成充填流路２０２’および第２予備形成充填流路２０２”は、第１および第２充填ウェルを第１区画室１５に接続する。図２０ａは、１つのカートリッジの細部を含むように形成されたウェブの一部分を示す。通常の製造の実施において、複数のカートリッジのための細部の配列を第１ウェブ１８’の大きな広がりに形成し、次の成形および充填ステップで同時に処理し得ることが当業者には理解されよう。
【００８８】
図２０ｂは、カートリッジ２００の製造工程の次のステップを示す。（この図ではカートリッジ２００の裏側にある）第２区画室１６が満たされ、蓋ウェブ１８”で密封された後、ウェブ１８”は、第１壁１８’の連続面全体に封止される。一形態において、第１ウェブ１８’および／または第２ウェブ１８’の内層は、制御可能な剥離（接着）力を有する接着剤を備え、低いシール温度（例えば、３７５°Ｆ）により剥離性の接着（「脆弱シール」）が生じ、高いシール温度（例えば、４５０°Ｆ）により永久的非剥離性の接着が生じる。一形態において、この図に示す第１封止ステップにおいて、ウェブ１８’の連続面の実質的に全てが、第２ウェブ１８”に接着されて、第２区画室１６を完全に包囲し、かつ充填流路２０２’および２０２”を除いて、第２区画室１５を実質的に包囲する脆弱シールを形成する。ここで、第２ウェブ１８”が第１ウェブ１８’に取り付けられた状態で、充填区画室および排気区画室が形成され、２つのウェブ間に形成された流路を介して第１区画室１５に連通する。
【００８９】
第１充填孔２０４’および第２充填孔２０４”は、第２ウェブ１８”を第１壁１８’に導入する前に、打ち抜き、ダイカット、およびレーザ切断などの当技術分野で周知の手段の１つにより、第２ウェブ１８”に予め形成されてもよい。一形態において、第２充填孔２０４”が充填中の第１区画室１５からのガスの排出を可能にする一方で、第１区画室には第１充填孔２０４’を通して第１物質が充填される。第１区画室への物質の導入を容易にするために、充填工程の間、充填源を充填孔２０４’および２０４”の少なくとも１つに連結することができ、排気区画室を通してガスを引き出す。一形態において、充填カプラは、第１充填流路２０２’内に達するように湾曲した針またはチューブである。
【００９０】
一形態において、充填カプラは、充填孔２０４’に導入されると緊密に嵌合して液体密封するように、充填孔２０４’よりも直径の大きい筒状先端を有する。一形態において、充填孔２０４’および２０４”は予め形成されず、（中空針などの）充填を行う鋭利な物体が流体密態様で第２壁１８”を穿刺して、充填ウェル２０１’および２０１”内に入る。この最後の形態は、充填ラインの異なる部分または異なるラインで実行できる成分の導入より先に、パッケージが密封されるので特に有益である。封止ステップと充填ステップとの間で、パッケージを重ねてもよい。一形態において、カートリッジに対する充填カプラの封止を容易にするために、ゴムシールまたは半剛性のシールが、充填源への境界を形成する充填ウェル２０１’および２０１”の少なくとも１つ内に配置される。一形態において、流路の横断面は、物質の表面張力に起因した第１区画室１５からの充填物質の漏出を防止するために十分に小さい。
【００９１】
一形態において、逆止弁は、第１区画室１５内への物質の流れを制御するために、第１充填ウェル２０１’および第２充填ウェル２０１”の少なくとも１つ内に配置される。充填中にガスの流出を可能にし、物質が第１区画室１５から出て行くのを防止するために、半透過体を充填ポート２０１および充填流路２０２の１つ内に配置してもよい。一形態において、充填中に第１空洞１５から流出する流れが監視され、流出する流体がガスから充填物質に切り替わると充填が中断される。第１充填流路２０４’は、第１区画室に進入する物質が、第２壁１８”上を滑るように進み、これにより充填された用量の不所望な気泡または発泡を生じさせ得る噴射を防止するように作られる。第１区画室１５の壁上での充填物質の滑動を容易にするために、専用の流れ偏向器を充填流路２０２または充填ウェル２０１内に配置してもよい。
【００９２】
図２０ｃは、カートリッジ２００の製造の次のステップを示す。第２溶着ステップにおいて、流路（２０２’）および（２０２”）を押圧して溶着し、第１区画室１５内の第１物質を完全に封止する。シール温度は、流路（２０２’）および（２０２”）の破断を防ぐために、脆弱シール溶着温度よりも高くてもよい。一形態において、封止ステップはさらに、カートリッジ２００の周縁部に適用され、脆弱シールとして先に封止された領域の少なくとも一部に永久シール性を付与する。流路の溶着および封止を容易にするために、封止可能な挿入物を流路内に配置してもよい。
【００９３】
ここで図２０ｄを参照すると、カートリッジは、打ち抜き、定規鋼切断（ｒｕｌｅｒ  ｓｔｅｅｌ  ｃｕｔｔｉｎｇ）、レーザ切断などを含む当技術分野で周知の手段の１つにより、ウェブの縁部から切り取られる。
【００９４】
上記の製造ステップの順序を、その全体または一部を特定の設計、適用、および製造設備に最適となるように変更し得ることが当業者には理解されよう。
【００９５】
嵌合体１２は、例えば、熱ステーク溶着、インパルス溶着、振動溶着、超音波溶着、ＲＦ溶着、および光線溶着を含む当技術分野で周知の嵌合体を溶着する手段の１つにより、脆弱シール溶着ステップの前もしくはそのステップ中に、永久シール溶着ステップの前もしくはそのステップ中に、またはその次のステップで第１壁１８’と第２壁１８”の間に溶着される。
【００９６】
図２１ａは、物質を混合するための静的混合器を備えるシリンジ２１０の立体分解図を示す。一形態において、第１物質はシリンジ２１０内に収容され、第２物質はカートリッジ（図示せず）からシリンジへ移送される。そして、そのシリンジ内において、第２物質が第１物質と混合される。別の形態において、少なくとも第１物質と第２物質は、別々にまたは予め混合されて、１つまたは複数のカートリッジ（または物質の別の供給源）からシリンジへ移送され、そのシリンジ内で、物質または混合物に混合工程が適用される。いくつかの形態において、カートリッジは、図２，３，４，１３または１４の形態と同様の方式でシリンジ２１０に連結される。プランジャ２１４は、流体密態様でシリンジバレル２１２内に移動可能に配置される。ピストン２１３は、流体密態様でプランジャ２１４の環状孔内に移動可能に同軸に配置される。ピストンはさらに、ピストン２１３の遠位端から横方向に延在する静的混合板（または静的混合器）２１７を備える。プランジャ２１４の環状孔内の局所的な軸方向溝２１５は、ピストン２１３の横方向に突出する係止歯２１６を受容するように作られる。
【００９７】
図２１ｂは、第１物質２１８を収容する混合シリンジ２１０の断面図を示す。
【００９８】
図２１ｃは、ピストンをバレル２１２の近位端側に後退させた混合シリンジ２１０の断面図を示す。静的混合器は、ピストンと共にプランジャを押し出し、混合物２１８’を形成するために第２物質がバレル２１２内に進入できるようにする。第２物質の供給源は図示していないが、上記のように、本開示で提供する形態の１つにおけるシリンジ２１０に連結されたカートリッジであってもよい。第２物質がルアー先端からシリンジ２１０に進入していない場合、ルアー先端は、ピストン後退の際に先端から流れが発生しないようにキャップ、蓋、弁または別の手段により封止されていることが分かる。
【００９９】
図２１ｄは、ピストン２１３を往復させて、混合物２１８’を静的混合器２１７の隙間を通って流れるようにわきにそらし、混合物２１８’の混合を促進して均一な製品を生成する混合ステップを示す。係止歯２１６は、ピストンがプランジャ２１４に対して自在に移動可能であるように軸方向溝２１５（図示せず）と一直線になっている。プランジャは、バレルに沿って自在に摺動し、バレル２１２とプランジャ２１４との間の密閉容積内におよび密閉容積の外へ移動するピストンのステムを補う。一形態において、ピストンは、混合をさらに促進するために回転可能である。一形態において、静的混合板は、多孔質材などの当技術分野で周知の別の静的混合器に置き換えられる。一形態において、ピストンは、制御式電動アクチュエータなどの装置により操作される。シリンジ先端およびシリンジへの他のポートには、好ましくは、混合物２１８’の流出またはバレル２１２内への材料の導入を防ぐために混合工程中に栓が付けられる。
【０１００】
図２１ｅは、ピストンを後退させ、その結果、係止歯２１６が軸方向溝２１５（図示せず）に進入し、かつ係止歯２１５がプランジャ２１４の径方向溝２１９に係合するようにピストンを回転させ、その回転させた位置において、プランジャ２１４とピストン２１３とが強固に係合し、一体となって移動可能であるときのシリンジ２１０を示す。一形態において、バレルおよびプランジャは、ピストン２１３の回転によるプランジャの回転を防止するために非軸対称の筒状外形を備える。一形態において、プランジャ２１４は、ピストン２１３との係合を容易にするために硬質の芯を備える。シリンジ２１０の先端に栓が付いていない場合、ピストン２１３およびプランジャ２１４をシリンジ２１０の遠位端側に前進させることにより、混合物２１８’が投与される。
【０１０１】
図２２ａ、および図２２ｂの部分断面図は、固定針シリンジに連結されたカートリッジを図示する。カートリッジ１０は、破断可能なバリア１９’により分離された第１物質区画室１５と第２物質区画室１６とを備える。カートリッジ１０はさらに、カートリッジ１０の内容物を固定針シリンジ２２１に連通させるための嵌合体２２２を備える。嵌合体２２２の近位端２２４は、カートリッジ１０の第１壁１８’と第２壁１８”との間に封止され、第１壁１８’と第２壁１８”とを直接封止することにより形成された破断可能なバリア１９”により第２区画室１６から分離される。嵌合体２２２の遠位端２２３は、流体密態様でシリンジ２２１の先端を取り外し可能に受容するように作られ、嵌合体２２２の近位端２２４は、針２２５の先端を受容し、その先端を保護するように作られる。嵌合体２２２内の通路２２６は、針とカートリッジ１０の内容物との間を連通する。カートリッジ１０は、針２２５に対する無菌の針保護具を提供する。
【０１０２】
一形態において、元々の針保護具（図示せず）は、シリンジから取り外され、カートリッジ１０に置き換えられる。カートリッジ１０の内容物は、第２バリア１９”を破断させた後にシリンジ２２１に移送される。いくつかの形態において、カートリッジ１０は、製造工程中にシリンジに装着される。一形態において、カートリッジ１０は、１つの区画室のみを有する。一形態において、カートリッジは、カートリッジ１０の内容物をシリンジ２２１に移送する前に統合される少なくとも２つの区画室を有する。一形態において、シリンジ２２１は、注射終了時に、針刺しから保護する位置まで針２２５の少なくとも一部分を後退させる安全機構を備える。一形態において、シリンジ２２１は、内容物の注射が完了した後に、針先端を少なくとも部分的に保護する針刺し防止安全機構を備える。
【０１０３】
典型的に充填可能シリンジに関しては、シリンジが充填工程に送られて分解され、内容物が充填された後に完全に組み立てられる。図２２ａおよび図２２ｂの形態は、（ａ）シリンジ２２１を供給し、組み立てて、完成させ、（ｂ）カートリッジ１０に所望の内容物を充填して、カートリッジ１０を封止し、（ｃ）カートリッジ１０を組み立てる有効な製造方法を提供する。この工程を無菌環境で完了してもよいし、または製品を最終滅菌してもよい。したがって、この手法により、実際のシリンジ部品の組立を必要としない充填済みシリンジアセンブリの製造が可能となる。加えて、内容物の情報を提供する特別なシリンジのラベルまたはパッケージを必要とし、カートリッジにこの情報の印字およびラベル付けがなされてもよい。ラベル、すなわち、カートリッジ１０のラベルの一部分は、カートリッジ１０が取り外された後に、製品の識別を維持するためにシリンジに貼り替え可能である。
【０１０４】
図２２ａおよび図２２ｂは、２つの統合可能な物質区画室を備えたカートリッジ１０を図示しているが、カートリッジ１０が単に１つの区画室又は２つ以上の区画室を含み得ることが当業者には明らかであろう。シリンジ２２１と嵌合体２２２との間の接続は、流体密な滑り嵌めとして示されているが、他の嵌合機構が、封止、組立、または分解を容易にするために組み込まれてもよく、例えば、ねじ、螺旋状ランプ、ルアー嵌合、ルアーロック嵌合、Ｏリング、ゴムシール部材、インターロック機構、スナップ機構、流体密で取り外し可能な接続を容易にする当技術分野で周知の他の機構、またはこれらの組み合わせを含む。嵌合体２２２の遠位端２２４は、針２２５の周囲に緊密に嵌合し、カートリッジ１０の内容物が嵌合体２２２と針２２５との間の空間に達するのを防止し、かつ空気がその領域から針内に入るのを防止する流体密封を実現することができる。少なくとも部分的に弾性材料から嵌合体を製造してもよい。嵌合体２２２が、カートリッジ１０をシリンジに対して異なる向きで収容するように設計されていてもよく、また一形態において、カートリッジ１０とシリンジ２２１は、少なくとも一部が重なってもよいし、または並置されてもよいことが当業者には明らかであろう。シリンジ２２５のピストンおよびバレルは、内容物接触面が、使用時まで滅菌上包みを必要とすることなく滅菌状態のままであるように、ピストンおよびバレルの近位端が無菌膜２２９により封止されてもよい。
【０１０５】
図２３ａ、および図２３ｂにおける図２３ａの拡大部分断面図を参照すると、カートリッジおよび固定針シリンジの別の好ましい形態が図示されている。固定針アダプタ２３７は、針２２５の周囲に軸方向に配置され、流体密態様でシリンジ２２１の先端に接続される。アダプタ２３７は、物理的損傷から針を保護し、また針刺し事故からオペレータおよび対象者を保護する。針２２５の遠位端はさらに、アダプタ２３７内かつ針２２５の周囲に同軸に移動可能に配置された芯出しグライダ（ｃｅｎｔｅｒｉｎｇ  ｇｌｉｄｅｒ）２３８により支持される。カートリッジ１０の嵌合体２３２は、カートリッジの壁に取り付けられた近位部２３４と、シリンジアダプタ２３７に軸方向に挿入できる細長円筒形状を有する遠位端２３３とを備える。この形態であれば、カートリッジ１０が組み込まれるまで、針２３７が保護された状態のままである。
【０１０６】
図２３ｃ、および図２３ｄにおける図２３ｃの拡大部分断面図は、シリンジアセンブリ２３１とカートリッジ１０のアセンブリとが係合しているときの図２３ａおよび図２３ｂの形態を図示している。嵌合体２３２の遠位端２３３が、アダプタ２３７内に挿入され、芯出し部材２２５を押して進み、嵌合体の通路２３６を貫通する針の遠位端の大部分を露出させ、シリンジ２２１とカートリッジ１０との間に流体連通を確立する。流体密封は、針２２５と嵌合体２３７との間の締り嵌めにより実現することができる。針２２５とのシール性を高めるために、嵌合体２３７を少なくとも部分的に弾性材料から製造してもよい。嵌合体２３７はさらに、遠位端２３３または通路２３６に沿った他の部分を封止し、嵌合体２３７と針２２５との間のシール性をさらに高め、かつ嵌合体がカートリッジに１０に組み付けられるまで、通路２３６の清浄度をさらに維持する部材を含んでもよい。
【０１０７】
カートリッジ１０の内容物は、シリンジ２２１内に吸引される。針２２５と嵌合体２３７との間のシールの代替として、（ａ）芯出し部材２３８とアダプタ２３７、（ｂ）芯出し部材２３８と針２２５、（ｃ）シリンジ２２１の先端とアダプタ２３７、および（ｄ）嵌合体２３２とアダプタとの間に、シールを確立することができる。いくつかの形態において、カートリッジ１０内の２つ以上の物質区画室は、内容物がシリンジ２２１に移送される前に統合され混合される。いくつかの形態において、シリンジ２２１内の物質が移送されて、カートリッジ１０内の物質と融合し、その後、融合した製品が吸引される。例えば、カートリッジ１０が乾燥物質を収容し、シリンジ２２１が希釈剤を収容してもよい。希釈剤がカートリッジ１０に移送されて、粉末を溶解させ、融合した製品がシリンジに戻されるか、対象者に投与されるか、または別の装置に移送される。一形態において、シリンジには物質が予め充填されており、カートリッジ１０の内容物がシリンジ２２１に移送されて、内容物とシリンジ２２１内の物質との融合を可能にする。
【０１０８】
図２３ｅ、および図２３ｆにおける図２３ｅの拡大部分断面図は、カートリッジが取り外されたときの図２３ｃおよび図２３ｄの形態を図示している。アダプタ２３７はカートリッジ１０に留まり、ここでシリンジ２２１の注射準備が整うため、針を露出させる。一形態において、機械的インターロックにより、アダプタ２３７がカートリッジ１０に確実に留まるようにする。そのような機械的係合は、ねじ、螺旋状ランプ、スナップ、締り嵌めまたは当技術分野で周知の他の係合および非係合機構を含んでもよい。一形態において、アダプタ２３７は、継続して針２２５を保護しかつ針２２５から保護するために、カートリッジ１０が取り外されるとシリンジ２２１に留まり、オペレータにより注射の前に取り外される。
【０１０９】
図２４は、ゴム製の隔壁２４１が針の先端に配置され、かつばね２４２が芯出し部材２２０および隔壁２４１をアダプタ２３７の遠位端側に付勢することを除き、図２３の形態と同様の別の形態を図示する。針は、隔壁２４１によって無菌封止される。カートリッジ１０とシリンジ２２１との間で材料を移送するために、嵌合体２３２の遠位端２３３がアダプタ２３７内に差し込まれ、隔壁および芯出し部材を後方に変位させ、針２２５の先端を嵌合体２３２内の通路２２６に露出させる。カートリッジ１０が取り外されるときに、ばね２４２により、隔壁が元に戻って針２２５の先端を覆い、使用時まで機械的損傷および汚染から針２２５を保護する。アダプタ２３７は、シリンジ２２１の使用前に、ばね２４２、芯出し部材２２０、および隔壁２４１と共に取り外される。
【０１１０】
図２５ａは、嵌合体２５７を介して連結されたカプラ２５０およびパッケージを備える充填済みカートリッジを図示する。カプラアセンブリは、ルアーロックハブ２５５とハブに取り付けられたステンレス鋼製のカニューレ２５４とを備える針アセンブリ２５３を備える。針アセンブリ（または針）２５３は、カプラ２５１内に形成された針キャップ内に収容される。カプラはさらに、針２５３をパッケージ１０に連通させる流体通路２５８を備える。カプラ２５１内に配置されたゴム鞘２５２は、針ハブ２５５とカプラとの間に無菌シールを形成する。ゴム鞘２５２の先端は、流体通路２５８の流体密な蓋を形成し、この蓋は、針２５３とパッケージとの間に流体連通を確立するために、カニューレ２５４により穿刺される。針ハブ２５５のルアー端部２５６は、密封箔、蓋または当技術分野で周知の他の手段の形態の取り外し可能な無菌蓋で封止される。パッケージ１０は、第１成分を収容する第１区画室と第２成分を収容する第２区画室１６とを隔離する破断可能な第１バリア１９’を備え、破断可能なバリアが破断すると、第１成分および第２成分が融合される。別の構造において、パッケージ１０は、有益剤の１成分を含む。さらに別の実施形態において、パッケージは少なくとも、破断可能なバリアにより第２または第１区画室から隔離された第３成分を含む第３区画室を備える。破断可能な第２バリア１９”は、第２区画室１６とカプラ２５１内の通路２５８に通じる嵌合体２５７との間の蓋を提供する。
【０１１１】
図２５ｂは、破断可能な第１および第２バリアが開封された後の図２５ａの形態であって、第１成分と第２成分との融合を可能にし、カプラ２５１を介する混合物１６’の針２５３との流体連通を確立した形態を図示する。この形態は、針２５３の雌ルアーコネクタをシリンジ２５９の雄ルアーに係合することにより、標準的なルアーシリンジ２５９に装着できる簡単な充填済みカートリッジを提供する。そして、シリンジのピストンを後退させることにより、シリンジ内に製品１６’を取り込むことができ、その後、図２５ｃに示すように、カプラが取り外されて、注射のために針２５３を露出させる。一構造において、シリンジは、既に部分的に充填されたシリンジ内に製品１６’を吸引するか、または、まずシリンジからパッケージ１０へ前記第３成分を吐出し、次にシリンジまたは異なる送達装置に混合物を引き戻すことにより、製品１６’と融合する第３成分を収容してもよい。カプラ２５１はさらに、パッケージ１０の一部に対する裏当てを提供する。
【０１１２】
図２６は、シリンジ２６０に連通するように適合されたパッケージ１０を備え、皮内（ＩＤ）注射アダプタ（ＩＤアダプタ）を備え、容易に針２６２を皮膚に浅く挿入できるようにする前方突出スキッド（ｆｏｒｗａｒｄ  ｐｒｏｔｒｕｄｉｎｇ  ｓｋｉｄ）２６４を備える単位用量の無菌再構成式の充填済みカートリッジを図示する。米国特許出願公開第２０１０／０１３７８３１号明細書および米国特許出願公開第２０１１／０２２４６０９号明細書は、皮内注射を容易にするためのアダプタの同様の形態を教示しており、それらの全体が参照により本明細書に組み込まれる。ＩＤアダプタは、ＩＤシリンジを形成する、シリンジ２６１の一体部分またはシリンジ上の留め具であってもよい。パッケージ１０の嵌合体２６５をシリンジ２６０の針ハブ２６６に容易に導入できるようにするために、凹所２６７がスキッド２６４内に形成される。
【０１１３】
図２７ａは、カートリッジ１０とシリンジ２６０が直線的な配置で位置付けられるＩＤシリンジに装着されたカートリッジ１０を図示する。この図により、図２７ｂの断面図の向きが分かる。図２７ｂは、無菌接続を形成する針ハブ２６６に圧入された嵌合体２６５を図示する。ゴム栓は、通路２７２の蓋を提供し、かつ針２６２により刺通されてシリンジとパッケージ１０との間に流体連通を確立する。
【０１１４】
図２８は、パッケージ１０が、シリンジ軸線と一直線になるのではなく、シリンジバレルに平行に位置付けられるように、嵌合体２８１が作られることを除いて、図１０の形態と同様の形態を図示する。
【０１１５】
図２９ａおよび２９ｂは、皮内針アセンブリ２９１とパッケージ１０とを連通させるカプラ２９３を備えるカートリッジ構造を図示する。カプラは、カニューレ２９２と、遠位端に前方突出スキッドおよび近位端２９７にルアーコネクタを備える針ハブ２９１とを備える針アセンブリを収容する。カプラ２９３は、針２９２およびスキッド領域を滅菌状態に維持する、封止領域２９９内の針ハブ２９１に係合した無菌キャップとして使用される。ルアーキャップ２９８は、滅菌上包みの必要なく滅菌状態のままである一体的に封止されたカートリッジを形成する針ハブ２９１のルアーコネクタ２９７を無菌封止する。パッケージ１０とカプラとは、嵌合体２９６を介して接続される。嵌合体は、好ましくはパッケージ１０の壁に熱溶着され、熱溶着、接着、または緊密な機械的嵌合を含む当技術分野で周知の方法の１つによりカプラに接続される。第１区画室１５と第２区画室１６との間の破断可能なシール１９は、カプラ２９３から区画室を隔離する蓋を提供する。
【０１１６】
図２９ｂは、ルアーキャップ２９８がルアーシリンジ２５０に置き換えられた図２９ａの形態であって、破断可能なシールが開封されて、第１区画室１５および第２区画室１６内の成分の融合を可能にし、通路２９５を介して針との流体連通を確立した形態を図示する。ゴム蓋２９４は、カプラ内の成分のデッドスペースを通路２９５の微小な容積に限定し、これにより、製品１５’の無駄を抑制する。この図は、シリンジバレル内の製品１５’を受容するために、シリンジのピストンが後退しているところを示している。カプラが取り外されて、注射のために針およびＩＤアダプタを露出させる。カプラ２９３は、パッケージ１０の区画室の押圧を容易にする、パッケージ１０に対する裏当てを提供する。
【０１１７】
図３０は、ＩＤアダプタ２９１が針ハブに３０１に装着されることを除いて、図２９のカートリッジ形態２９０と同様のカートリッジ形態３００を図示する。針ハブ３０１、ＩＤアダプタ２９１、カプラ２９３。
【０１１８】
図３１ａは、針ハブがＩＤアダプタ３１３内に移動可能に配置され、注射位置と安全廃棄位置との間で移動可能であることを除いて、図３０の形態３００とほぼ同様の形態を有するカートリッジ３１０を示す。ラッチ機構３１５は注射位置を保持する。針ハブ３１３を安全廃棄位置に付勢するために、領域３１２内にばねを配置してもよい。図３１ｂは、針ハブを解除するためにラッチが操作されたときの形態３１０を図示する。針アセンブリを後退させて、針先端を閉じ込め部３１６に移動させ、針刺しの危険性を低減する。一形態において、針ハブは、この位置で永久的にロックされて、針の繰り返し使用を防止する。
【０１１９】
図３２は、針アセンブリが、カプラ内に移動可能に配置され、針先端２９２が栓２９４を穿刺しないかあるいは栓を部分的にのみ穿刺している第１位置と、針先端が栓を穿刺して、流体通路２９５との流体連通を確立する第２位置との間で移動可能であることを除いて、図２９の形態２９０と同様のカートリッジ形態３２０を示す。
【０１２０】
図３３ａ〜図３３ｃは、薬剤を送達するための固定針３３４を備えた通常のピストンとバレルのシリンジ構成を備える充填済みシリンジ２５９を図示する。シリンジキャップ３３１は無菌係合した状態でシリンジに連通する。キャップ３３１はパッケージ１０に係合しており、取り外し可能なカートリッジ３３０を形成する。キャップ３３１の本体は、パッケージの嵌合体と針との間のカプラとして機能する。図３３ｄおよび図３３ｅは、保存中におよびシリンジのバレルに用量を充填する際にアクティブ化された後のキャップの拡大断面図を示す。キャップは、針３３４により穿刺されるゴム栓３３５を備える。
【０１２１】
同様の構造が、カテーテル付きシリンジ、軟性の保護鞘付き針、筋肉内（ＩＭ）針、皮下（ＳＱ）針、皮内（ＩＤ）針、極微針、安全針、格納式針、灌注針などを含む、当技術分野で周知の他の針装置と共に作動することが当業者には明らかであろう。
【０１２２】
シリンジはさらに、このシリンジアセンブリが滅菌上包みの必要なく滅菌状態を維持するように、バレルの無菌蓋３３３を備える。
【０１２３】
図３７は、パッケージ１０を保護するために垂直に突出する保護壁３４１が追加された、図３３の形態と同様の形態を図示する。追加の壁、壁３４１に連結された反転カバー、摺動可能なカバーなどを用いてパッケージをさらに取り囲むことにより、パッケージの保護を高め得ることが当業者には明らかであろう。
【０１２４】
本開示の形態のパッケージは、所望の情報を人または装置に伝達するために、印刷、バーコード、ＲＦＩＤタグ、エンボス、刻印を含むいかなるマーキングを表示してもよい。必要に応じて十分な印字表面を提供するために、パッケージを延長してもよい。
【０１２５】
パッケージの少なくとも１つの区画室の押圧を容易にして、破断可能なバリアの破断を促すか、またはパッケージからの投与可能な製品の絞り出しを促すために、圧縮パネルをパッケージに連結してもよい。
【０１２６】
上記の形態および方法は、他の注射器、または図１に教示したジェット注射器カートリッジなどのディスペンサタイプもしくは本文書で論じた他の形態に適用可能である。一形態において、格納式針機構、格納式針コネクタ機構、または他の針安全機構、および再使用不可機構は、本明細書に記載の混合シリンジ機構に組み込まれる。
【０１２７】
本開示のカートリッジ形態は、所望の使用形態を容易に実現するために、複数の形態の送達装置または塗布器と組み合わされてもよい。カートリッジの内容物を効率的に絞り出せる容易にするために、圧縮パネルまたはローラが組み込まれてもよい。
【０１２８】
本発明の用途は、ここで例示により提供したシリンジおよびジェット注射器の用途に限定されるものではなく、本明細書に記載の教示は、マイクロポンプリザーバの無菌充填、筋肉内自動注射器、皮内自動注射器などの他の用途に適用することができる。
［発明の例］
［例１］
充填可能なリザーバを有する有益剤の送達装置と共に使用するカートリッジであって、
再構成式の単位用量のパッケージを備え、該パッケージが、前記有益剤の少なくとも第１成分を収容する第１区画室と、前記有益剤の少なくとも第２成分を収容する少なくとも第２区画室と、前記パッケージを前記充填可能なリザーバに連結するために前記パッケージに配置された嵌合体とを備える、カートリッジ。
［例２］
前記カートリッジが、針、コネクタ、およびノズルのうちの１つを備える、前記送達装置の送達部分に連通するように適合される、例１に記載のカートリッジ。
［例３］
前記送達部分が針を備え、前記嵌合体が、流体のデッドスペースを最小限に抑えるために前記針の周囲を封止する、例１に記載のカートリッジ。
［例４］
前記第１区画室と前記嵌合体との間に破断可能なバリアをさらに備える、例１に記載のカートリッジ。
［例５］
前記第１区画室が、破断可能なバリアにより前記第２区画室から隔離される、例１に記載のカートリッジ。
［例６］
前記パッケージの少なくとも一部分が可撓壁を備える、例１に記載のカートリッジ。
［例７］
前記可撓壁の少なくとも一部分が箔を備える、例６に記載のカートリッジ。
［例８］
前記可撓壁の少なくとも一部分が、前記第１区画室および前記第２区画室の少なくとも一部分を画定するように予め形成される、例６に記載のカートリッジ。
［例９］
前記可撓壁の少なくとも一部分が、剥離可能な箔層を備える、例６に記載のカートリッジ。
［例１０］
前記剥離可能な箔層の少なくとも一部分が予め形成される、例９に記載のカートリッジ。
［例１１］
前記第１区画室と前記第２区画室との間の流体通路をさらに備える、例１に記載のカートリッジ。
［例１２］
前記流体通路内に配置された静的混合器をさらに備える、例１１に記載のカートリッジ。
［例１３］
前記パッケージと前記送達装置との間の流体通路と、前記流体通路内に配置された静的混合器とをさらに備える、例１に記載のカートリッジ。
［例１４］
前記パッケージが、前記嵌合体の取り外し可能な無菌蓋の少なくとも一部分を形成する可撓壁を含む、例１に記載のカートリッジ。
［例１５］
充填区画室と、流体通路と、第１パッケージ壁および第２パッケージ壁とをさらに備え、前記充填区画室が、前記流体充填通路を介して前記第１区画室に流体連通している、例１に記載のカートリッジ。
［例１６］
前記充填区画室が、前記第１パッケージ壁と前記第２パッケージ壁との間に位置する、例１５に記載のカートリッジ。
［例１７］
前記流体通路が、充填中または充填後の前記充填区画室への逆流を防止するように封止可能である、例１５に記載のカートリッジ。
［例１８］
前記流体通路を封止するために、前記パッケージの前記第１パッケージ壁と前記第２パッケージ壁との間に熱シールをさらに備える、例１５に記載のカートリッジ。
［例１９］
前記充填区画室および前記充填通路の少なくとも１つ内に配置された遮断弁をさらに備える、例１５に記載のカートリッジ。
［例２０］
前記充填区画室が、前記パッケージの前記第１パッケージ壁および前記第２パッケージ壁の少なくとも１つに形成されたウェルにより少なくとも部分的に画定される、例１５に記載のカートリッジ。
［例２１］
流体密封シールを通じて前記充填区画室に連通するように構成された充填システムをさらに備える、例１５に記載のカートリッジ。
［例２２］
前記充填通路が、噴射を防止するために流体用量の前記パッケージの流体を前記第１区画室の前記第１パッケージ壁に沿って案内するように形成される、例１５に記載のカートリッジ。
［例２３］
流体排出通路を介して前記第１区画室に連通したガス排出室をさらに備え、前記流体排出通路が、充填後の前記第１区画室からの流れを防止するように封止可能である、例１５に記載のカートリッジ。
［例２４］
前記パッケージの少なくとも一部分が管状構造を備える、例１に記載のカートリッジ。
［例２５］
開放されるまで前記第１区画室を前記嵌合体から隔離する蓋をさらに備える、例１に記載のカートリッジ。
［例２６］
充填可能なリザーバを有する有益剤の送達装置と共に使用する無菌カートリッジであって、
パッケージを備え、該パッケージが、前記有益剤の少なくとも１成分を収容する少なくとも第１区画室であって、前記パッケージが予め形成された可撓壁により少なくとも部分的に画定される、第１区画室と、前記充填リザーバに流体連通した状態で前記パッケージを連結するために前記パッケージに配置された嵌合体とを備える、カートリッジ。
［例２７］
前記パッケージが、前記有益剤の第１成分を収容する前記第１区画室と、前記有益剤の第２成分を収容する第２区画室であって、破断可能なバリアにより前記第１区画室から隔離される第２区画室とを含む、例２６に記載のカートリッジ。
［例２８］
前記可撓壁の少なくとも一部分が、箔またはフィルムを備える、例２６に記載のカートリッジ。
［例２９］
前記可撓壁の少なくとも一部分が、剥離可能な箔層を備える、例２６に記載のカートリッジ。
［例３０］
前記剥離可能な箔層の少なくとも一部分が、予め形成される、例２９に記載のカートリッジ。
［例３１］
前記第１区画室と前記第２区画室との間に延在する流体通路をさらに備える、例２６に記載のカートリッジ。
［例３２］
前記流体通路内に配置された静的混合器をさらに備える、例３１に記載のカートリッジ。
［例３３］
前記パッケージと前記送達装置との間に位置する流体通路と、前記流体通路内に配置された静的混合器とをさらに備える、例２６に記載のカートリッジ。
［例３４］
前記パッケージが、前記嵌合体の無菌蓋の少なくとも一部分を形成するように延在する可撓壁を含む、例２６に記載のカートリッジ。
［例３５］
充填区画室と、流体充填通路と、第１パッケージ壁および第２パッケージ壁とをさらに備え、前記充填区画室が、前記流体充填通路を介して前記第１区画室に流体連通している、例２６に記載のカートリッジ。
［例３６］
前記充填区画室が、前記第１パッケージ壁と前記第２パッケージ壁との間に位置する、例３５に記載のカートリッジ。
［例３７］
前記流体通路が、充填中または充填後の前記充填区画室への逆流を防止するように封止可能である、例３５に記載のカートリッジ。
［例３８］
前記流体充填通路が、前記第１パッケージ壁と前記第２パッケージ壁との間を熱シールすることにより封止される、例３５に記載のカートリッジ。
［例３９］
前記充填区画室および前記流体充填通路のうちの少なくとも１つ内に配置された遮断弁をさらに備える、例３５に記載のカートリッジ。
［例４０］
前記充填区画室が、前記第１パッケージ壁および前記第２パッケージ壁の少なくとも１つに形成されたウェルにより少なくとも部分的に画定される、例３５に記載のカートリッジ。
［例４１］
流体密封シールを通じて前記充填区画室に連通するように構成された充填システムをさらに備える、例３５に記載のカートリッジ。
［例４２］
前記流体充填通路が、噴射を防止するために前記パッケージにより保持された流体を第１パッケージ壁に沿って案内する、例３５に記載のカートリッジ。
［例４３］
充填後の前記第１区画室からの流れを防止するように封止可能な流体排出通路を介して前記第１区画室に連通したガス排出室をさらに備える、例３５に記載のカートリッジ。
［例４４］
開放されるまで前記第１区画室を前記嵌合体から隔離する蓋をさらに備える、例２６に記載のパッケージ。
［例４５］
充填可能なリザーバを有する有益剤の送達装置と共に使用するカートリッジであって、
裏当てと、
パッケージアセンブリとを備え、
該パッケージアセンブリが、前記有益剤の少なくとも１成分を収容し可撓壁により少なくとも部分的に画定された少なくとも第１区画室と、前記充填可能なリザーバに流体連通した状態で前記パッケージを連結するために前記パッケージに配置された嵌合体とを備える、カートリッジ。
［例４６］
前記カートリッジと前記送達装置とが、前記裏当てを介して結合される、例４５に記載のカートリッジ。
［例４７］
前記裏当てが、前記カートリッジと前記送達装置とを相互接続する流体通路を備える、例４５に記載のカートリッジ。
［例４８］
前記流体通路が無菌封止される、例４７に記載のカートリッジ。
［例４９］
前記流体通路が、開放されるまで前記パッケージの区画室を前記リザーバから隔離する蓋を備える、例４７に記載のカートリッジ。
［例５０］
前記第１区画室と前記嵌合体との間に破断可能なバリアをさらに備える、例４５に記載のカートリッジ。
［例５１］
前記パッケージアセンブリが、前記有益剤の少なくとも第２成分を収容する少なくとも第２区画室を備え、前記第２区画室が、破断可能なバリアにより前記第１区画室から分離される、例４５に記載のカートリッジ。
［例５２］
前記可撓壁の少なくとも一部分が箔を備える、例４５に記載のカートリッジ。
［例５３］
前記可撓壁が、前記第１区画室の少なくとも一部分を画定するように予め形成される、例５２に記載のカートリッジ。
［例５４］
前記可撓壁の少なくとも一部分が、剥離可能な箔層を備える、例４５に記載のカートリッジ。
［例５５］
前記剥離可能な箔層の少なくとも一部分が、予め形成される、例５４に記載のカートリッジ。
［例５６］
前記第１区画室と前記第２区画室との間に位置付けられた流体通路をさらに備える、例４５に記載のカートリッジ。
［例５７］
前記流体通路内に配置された静的混合器をさらに備える、例５６に記載のカートリッジ。
［例５８］
前記パッケージアセンブリと前記送達装置との間に位置付けられた流体通路内に配置された静的混合器をさらに備える、例５４に記載のカートリッジ。
［例５９］
前記可撓壁が、前記嵌合体の無菌蓋の少なくとも一部分を形成するように延在する、例４５に記載のカートリッジ。
［例６０］
充填区画室と、流体充填通路と、第１パッケージ壁および第２パッケージ壁とをさらに備え、前記充填区画室が、前記流体充填通路を介して前記第１区画室に流体連通した状態で配設される、例４５に記載のカートリッジ。
［例６１］
前記充填区画室が、前記第１パッケージ壁と前記第２パッケージ壁との間に位置する、例６０に記載のカートリッジ。
［例６２］
前記流体通路が、充填後の前記充填区画室への逆流を防止するように封止可能である、例６０に記載のカートリッジ。
［例６３］
前記流体通路が、前記第１パッケージ壁と前記第２パッケージ壁との間を熱シールすることにより封止される、例６０に記載のカートリッジ。
［例６４］
前記充填区画室および前記充填通路の少なくとも１つ内に配置された遮断弁をさらに備える、例１５に記載のカートリッジ。
［例６５］
前記充填区画室が、前記第１パッケージ壁および前記第２パッケージ壁の少なくとも１つに形成されたウェルにより少なくとも部分的に画定される、例１５に記載のカートリッジ。
［例６６］
流体密封シールを通じて前記充填区画室に連通するように構成された充填システムをさらに備える、例６０に記載のカートリッジ。
［例６７］
前記流体充填通路が、噴射を防止するために前記パッケージにより保持された流体を第１パッケージ壁に沿って案内する、例６０に記載のカートリッジ。
［例６８］
流体排出通路を介して前記第１区画室に連通したガス排出室をさらに備え、前記流体排出通路が、充填後の前記第１区画室からの流れを防止するように封止可能である、例６０に記載のカートリッジ。
［例６９］
前記送達装置が、医療用注射器、固定針注射器、安全注射器、格納式針注射器、自動無効化注射器、自動注射器、ジェット注射器、皮内注射器、皮下注射器、筋肉内注射器、注入器、注入ポンプ、徐放性送達システム、およびパッチポンプからなる群より選択される、例４５に記載のカートリッジ。
［例７０］
充填可能なリザーバを有する有益剤の送達装置と共に使用するカートリッジであって、
パッケージを備え、該パッケージが、前記有益剤の少なくとも１成分を収容する少なくとも第１区画室と、パッケージに配置された嵌合体と、前記充填可能なリザーバに流体連通した状態で前記パッケージを連結するために前記嵌合体に結合されたカプラとを備える、カートリッジ。
［例７１］
前記カプラが、開放されるまで前記流体連通を遮断する蓋を備える、例７０に記載のカートリッジ。
［例７２］
前記カプラが無菌封止される、例７０に記載のカートリッジ。
［例７３］
前記カプラが、前記送達装置に連結可能な注射針を備える、例７０に記載のカートリッジ。
［例７４］
前記カプラが、前記流体連通を遮断する膜であって、前記注射針の先端で穿刺可能な膜を備える、例７３に記載のカートリッジ。
［例７５］
前記注射針は、前記膜が穿刺されない第１位置から前記膜が穿刺される第２位置まで移動可能である、例７４に記載のカートリッジ。
［例７６］
前記カプラが、投与装置に連通するように構成される、例７０に記載のカートリッジ。
［例７７］
前記カプラが、前記パッケージ内への流れおよび前パッケージからの流れを制御する弁を備える、例７０に記載のカートリッジ。
［例７８］
前記弁が、前記嵌合体と前記カプラとの間の相対運動により作動する、例７７に記載のカートリッジ。
［例７９］
前記パッケージの少なくとも一部分は、前記リザーバに前記有益剤が少なくとも部分的に充填された後に、前記カプラから分離可能である、例７０に記載のカートリッジ。
［例８０］
前記カプラが、針刺し防止装置および再使用防止装置からなる群からの安全装置を備え、前記カートリッジの一部分が前記送達装置から取り外されるときに、前記安全装置が前記送達装置に結合される、例７０に記載のカートリッジ。
［例８１］
前記パッケージのための裏当てをさらに備える、例７０に記載のカートリッジ。
［例８２］
前記カプラが、前記送達装置のキャップとして構成される、例７０に記載のカートリッジ。
［例８３］
前記送達装置が、医療用注射器、固定針注射器、安全注射器、格納式針注射器、自動無効化注射器、自動注射器、ジェット注射器、皮内注射器、皮下注射器、筋肉内注射器、注入器、注入ポンプ、徐放性送達システム、およびパッチポンプからなる群より選択される、例７０に記載のカートリッジ。
［例８４］
前記カプラが、シリンジピストンの少なくとも一部分を備える、例７０に記載のカートリッジ。
［例８５］
前記カプラが、シリンジバレルの少なくとも一部分を備える、例７０に記載のカートリッジ。
［例８６］
前記カプラと嵌合体とが、圧入、熱溶着、および接合のうちの少なくとも１つにより結合される、例７０に記載のカートリッジ。
［例８７］
前記カプラが、針を備える送達装置のシリンジに連通し、前記パッケージが前記シリンジに接合されるときに、前記嵌合体に結合されるように構成される、例７０に記載のカートリッジ。
［例８８］
前記送達装置は、前記パッケージと前記シリンジとが結合されるときに取り外し可能である針保護具を含む、例８７に記載のカプラ。
［例８９］
前記送達装置は、前記パッケージとシリンジとが結合されるまで保持される、前記針用の無菌蓋を含む、例８７に記載のカプラ。
［例９０］
前記カプラが、該カプラ内の中心に前記を位置決めするように構成される、例８７に記載のカプラ。
［例９１］
前記カプラの内部ボア内に配置された栓をさらに備え、前記カプラが前記針の遠位先端と前記針の近位端との間で軸方向に移動可能である、例８７に記載のカプラ。
［例９２］
前記カプラは、前記カートリッジが前記シリンジから取り外されるときに、前記嵌合体に結合された状態のままである、例８７に記載のカートリッジ。
［例９３］
前記パッケージと前記リザーバとの間の流体連通のための流体通路をさらに備え、前記流体通路が、注射針により穿刺可能な膜により終端される、例７０に記載のカプラ。
［例９４］
前記パッケージが、前記第１区画室の少なくとも一部分を画定するように予め形成された少なくとも１つの可撓壁を含む、例７０に記載のカートリッジ。
［例９５］
前記パッケージが、剥離可能な箔層部分を有する少なくとも１つの可撓壁を含む、例７０に記載のカートリッジ。
［例９６］
前記剥離可能な箔層の少なくとも一部が予め形成される、例９５に記載のカートリッジ。
［例９７］
前記パッケージの前記第１区画室と前記第２区画室との間に位置する流体通路をさらに備える、例７０に記載のカートリッジ。
［例９８］
前記流体通路内に配置された静的混合器をさらに備える、例２８に記載のカートリッジ。
［例９９］
前記パッケージと前記送達装置との間に位置付けられた流体通路と、前記流体通路内に配置された静的混合器とをさらに備える、例７０に記載のカートリッジ。
［例１００］
前記パッケージが、前記嵌合体の無菌蓋の少なくとも一部分を形成するように延在する可撓壁をさらに備える、例７０に記載のカートリッジ。
［例１０１］
充填区画室と、流体充填通路と、第１パッケージ壁および第２パッケージ壁とをさらに備え、前記充填区画室が、前記流体充填通路を介して前記第１区画室に流体連通した状態で配設される、例７０に記載のカートリッジ。
［例１０２］
前記充填区画室が、前記第１パッケージ壁と前記第２パッケージ壁との間に位置付けられる、例１０１に記載のカートリッジ。
［例１０３］
前記流体通路が、充填後の前記充填区画室への逆流を防止するように封止可能である、例１０１に記載のカートリッジ。
［例１０４］
前記流体通路が、前記第１パッケージ壁と前記第２パッケージ壁との間を熱シールすることにより封止される、例１０１に記載のカートリッジ。
［例１０５］
前記充填区画室および前記流体充填通路のうちの少なくとも１つ内に配置された遮断弁をさらに備える、例１０１に記載のカートリッジ。
［例１０６］
前記充填区画室が、前記第１パッケージ壁および前記第２パッケージ壁の少なくとも１つに形成されたウェルにより少なくとも部分的に画定される、例１０１に記載のカートリッジ。
［例１０７］
流体密封シールを通じて前記充填区画室に連通するように構成された充填システムをさらに備える、例１０１に記載のカートリッジ。
［例１０８］
前記流体充填通路が、噴射を防止するために前記パッケージにより保持された流体を第１パッケージ壁に沿って案内する、例１０１に記載のカートリッジ。
［例１０９］
流体排出通路を介して前記第１区画室に連通したガス排出室をさらに備え、前記流体排出通路が、充填後の前記第１区画室からの流れを防止するように封止可能である、例１０１に記載のカートリッジ。
［例１１０］
充填可能なリザーバを有する有益剤の送達装置と共に使用するカートリッジであって、
前記有益剤の全てまたは前記有益剤の全成分を収容する単位用量のパッケージを備え、該パッケージが、前記有益剤の全てまたは前記有益剤の少なくとも１成分を収容し可撓壁により少なくとも部分的に画定された少なくとも第１区画室と、前記充填可能なリザーバに流体連通した状態で前記パッケージを連結するために前記パッケージに配置された嵌合体とを備える、カートリッジ。
［例１１１］
単一リザーバを備える単位用量の有益剤の送達装置における投与部分を囲繞する充填済みキャップであって、
前記有益剤の少なくとも１成分を収容する少なくとも第１区画室と、
前記第１区画室を前記投与部分に連通する流体通路とを備える、充填済みキャップ。
［例１１２］
前記第１区画室が壁を含み、前記壁の少なくとも一部分が可撓性材料を備える、例１１２に記載の充填キャップ。
［例１１３］
前記可撓性材料がウェビングを含む、例１１３に記載の充填済みキャップ。
［例１１４］
前記第１区画室が前記有益剤の第１成分を収容し、当該充填済みキャップが、前記有益剤の第２成分を収容する第２区画室と、前記第１区画室と前記第２区画室とを分離する開放可能な栓とを備える、例１１２に記載の充填済みキャップ。
［例１１５］
前記投与部分が、針、カテーテル、コネクタ、ルアーコネクタ、ノズル、ジェット注射器ノズル、ディスペンサ、極微針、ＩＤ針、ＩＭ針、およびＳＱ針のうちの１つを備える、例１１２に記載の充填済みキャップ。
［例１１６］
蓋が開放されるまで前記区画室と前記投与部分とを分離する前記蓋をさらに備える、例１１２に記載の充填済みキャップ。
［例１１７］
流体通路をさらに備える、例１１２に記載の充填済みキャップ。
［例１１８］
前記流体通路を閉塞する膜をさらに備える、例１１２に記載の充填済みキャップ。
［例１１９］
前記投与部分が、前記膜を穿刺して前記流体通路との流体連通を確立するように移動可能な針を備える、例１１８に記載の充填済みキャップ。
［例１２０］
前記投与部分が、前記膜を穿刺して前記流体通路との流体連通を確立するように構成された針を備える、例１１８に記載の充填済みキャップ。
［例１２１］
前記第１区画室のための裏当てをさらに備える、例１１２に記載の充填済みキャップ。
［例１２２］
前記第１区画室が、嵌合体を備えるパッケージ内に形成される、例１１２に記載の充填済みキャップ。
［例１２３］
前記パッケージの少なくとも一部分がウェビングを備える、例１２２に記載の充填済みキャップ。
［例１２４］
有益剤の単位用量ディスペンサであって、
充填可能な単位用量のリザーバと、前記充填可能なリザーバに流体連通した少なくとも１つのポートとを有する送達装置と、
前記送達装置に無菌結合され単位用量パッケージを備えるカートリッジであって、該カートリッジが、
前記有益剤の少なくとも１成分を収容する少なくとも第１区画室であって、前記パッケージが可撓壁により少なくとも部分的に画定される、第１区画室と、
前記単位用量パッケージに結合され、かつ前記単位用量パッケージを前記送達装置に連結する嵌合体と、
前記第１区画室と前記リザーバとの間に配置された開封可能なシールとを備える、ディスペンサ。
［例１２５］
前記リザーバが、使用前に実質的に空の状態である、例１２４に記載のディスペンサ。
［例１２６］
前記リザーバが、前記有益剤の少なくとも１成分を収容する、例１２４に記載のディスペンサ。
［例１２７］
有益剤を投与するための充填済みシリンジであって、
ピストンアセンブリと、
投与部分を備える充填可能なバレルと、
充填済みカートリッジであって、前記有益剤の少なくとも第１成分を収容する少なくとも第１区画室と、前記第１区画室の内容物を前記バレルに連通する流通路とを備える、充填済みカートリッジとを備える、充填済みシリンジ。
［例１２８］
前記投与部分が、針、ＩＭ針、極微針、ＩＤ針、ＳＱ針、安全針、格納式針、ノズル、ジェット注射ノズル、ディスペンサ、および塗布器のうちの１つを備える、例１２７に記載の充填済みシリンジ。
［例１２９］
前記投与部分を封止するキャップをさらに備え、前記カートリッジが前記キャップと一体化される、例１２７に記載の充填済みシリンジ。
［例１３０］
前記投与部分を介して前記バレルに連通する流通路をさらに備える、例１２７に記載の充填済みシリンジ。
［例１３１］
前記バレルが、前記有益剤の少なくとも第２成分を収容する、例１２７に記載の充填済みシリンジ。
［例１３２］
開放されるまで前記第１区画室を前記バレルから分離する蓋をさらに備える、例１２７に記載の充填済みシリンジ。
［例１３３］
前記充填済みシリンジが、手動操作用に構成される、例１２７に記載の充填済みシリンジ。
［例１３４］
前記充填済みシリンジが、自動注射器、シリンジポンプ、制御アクチュエータ、メカニカルラムまたは圧力のうちの少なくとも１つにより作動するように構成される、例１２７に記載の充填済みシリンジ。
［例１３５］
前記バレルの近位端が、無菌封止される、例１２７に記載の充填済みシリンジ。
［例１３６］
送達装置の投与部分用のキャップであって、前記キャップが、流体通路と、前記投与部分に連通するように構成された近位端と、遠位端とを備える、キャップ。
［例１３７］
充填済みパッケージに連通する前記流体通路の前記遠位端に位置付けられたアダプタをさらに備える、例１３６に記載のキャップ。
［例１３８］
前記アダプタが、前記充填済みパッケージの嵌合体に連通するように構成される、例１３７に記載のキャップ。
［例１３９］
前記流体通路内に配置され、開放されるまで前記流体通路の前記遠位端と前記近位端とを分離するように構成された蓋をさらに備える、例１３６に記載のキャップ。
［例１４０］
前記キャップが、前記投与部分を封止するように構成される、例１３６に記載のキャップ。
［例１４１］
前記キャップが、前記投与部分に機械的保護を与えるように構成される、例１３６に記載のキャップ。
［例１４２］
充填済みパッケージを支持する裏当てをさらに備える、例１３６に記載のキャップ。
［例１４３］
有益剤の充填済みパッケージを形成する方法であって、
第１面と第２面との間に少なくとも第１成分区画室の境界を形成するように互いに結合された前記第１面および前記第２面を有するウェビングを準備するステップと、
前記境界の少なくとも一部分に沿って脆弱シールを形成するステップと、
永久シールが前記脆弱シールの少なくとも一部と重なり、前記永久シールと実質的に同一のシール性を有する重なり部分を作り出すように前記永久シールを形成するステップと、
前記第１成分区画室を充填するステップとを含む、方法。
［例１４４］
前記脆弱シールが、前記境界全体にわたって形成される、例１４３に記載の方法。
［例１４５］
前記脆弱シールを形成する前に、前記第１成分区画室に前記有益剤の少なくとも第１成分を充填するステップをさらに含む、例１４３に記載の方法。
［例１４６］
前記脆弱シールを形成した後でかつ前記永久シールを形成する前に、前記第１成分区画室に前記有益剤の少なくとも第１成分が充填される、例１４３に記載の方法。
［例１４７］
前記第１成分区画室への充填アクセスを形成するステップをさらに含み、前記永久シールが前記充填アクセスを封止する、例１４６に記載の方法。
［例１４８］
前記脆弱シールが第１剥離強度特性を示し、かつ前記永久シールが第２剥離強度特性を示し、前記第１剥離強度特性および第２剥離強度特性が、前記脆弱シールおよび前記永久シールを形成するために用いられるシール設備のシール設定により得られる、例１４３に記載の方法。
［例１４９］
前記脆弱シールが第１剥離強度特性を示し、かつ前記永久シールが第２剥離強度特性を示し、前記第１剥離強度特性が前記ウェビングの局所的シール性に起因する、例１４３に記載の方法。
［例１５０］
前記第２シールが、前記脆弱シールの大部分と重なる、例１４３に記載の方法。
［例１５１］
前記境界が少なくとも第２区画室を画定し、前記永久シールが形成された後に、脆弱シール部が、前記第１区画室と前記第２区画室との間に残存する、例１４３に記載の方法。
［例１５２］
有益剤の充填済みパッケージを形成する方法であって、
前記有益剤用のガス充填区画室を形成するステップと、
封止可能な第１流路を介して前記ガス充填区画室に連通する充填ポートを有する充填区画室を形成するステップと、
封止可能な第２流路を介して前記ガス充填区画室に連通するポートを有する排気区画室を形成するステップと、
前記有益剤の少なくとも第１成分の供給源を流体密態様で前記充填ポートに結合するステップと、
排気ポートを通してガスを排出する一方で、前記供給源から充填流路を介して前記ガス充填区画室に充填するステップと、
前記封止可能な第１流路および前記充填流路を封止するステップとを含む、方法。
［例１５３］
前記充填済みパッケージの縁を切り取り、前記複数のポートを除去するステップをさらに含む、例１５２に記載の方法。
［例１５４］
前記充填済みパッケージの少なくとも一部分がウェビングを備える、例１５２に記載の方法。
［例１５５］
前記ウェビングが、前記ガス充填区画室の容積を画定するように予め形成される、例１５４に記載の方法。
［例１５６］
前記ガス充填区画室の容積をさらに正確に画定するために、前記充填済みパッケージが、充填中に空洞内に収容される、例１５５に記載の方法。
［例１５７］
前記空洞に真空が適用される、例１５６に記載の方法。
［例１５８］
充填中、前記充填済みパッケージは、排気流路が前記充填流路よりも高くなるように位置付けられる、例１５７に記載の方法。
［例１５９］
前記充填ポートがウェルを備える、例１５２に記載の方法。
［例１６０］
前記第１成分の供給源との境界が、前記充填ポート内に配置される、例１５２に記載の方法。
［例１６１］
前記境界に弁を備える、例１６０に記載の方法。
［例１６２］
前記区画室および前記複数の流路が、前記封止ステップの前に環境から密封される、例１５２に記載の方法。
［例１６３］
前記充填ステップの前に、前記第１成分の供給源を受容するように前記充填ポートの前記壁が穿刺される、例１６２に記載の方法。
［例１６４］
前記第１成分の前記供給源が、穿刺要素で終端する毛細管を備える、例１６３に記載の方法。
［例１６５］
前記毛細管が前記充填ポートのウェブ壁を穿刺し、前記ウェブ壁が前記毛細管との流体密封を形成する、例１６４に記載の方法。
［例１６６］
複数の前記充填済みパッケージを重ねるステップと、重ねられた前記充填済みパッケージを前記充填機に搬送するステップとをさらに含む、例１６２に記載の方法。
［例１６７］
第１流路および前記充填流路の少なくとも１つが、封止可能な挿入物を備える、例１５２に記載の方法。
［例１６８］
前記充填流路は、噴射、発泡、または気泡を防止するために、前記充填ステップ中に、前記第１成分が前記区画室の壁に沿って流れるように作られる、例１５２に記載の方法。
［例１６９］
前記排気流路内の前記成分の存在を検出するセンサを設けるステップと、前記区画室が満たされていることを前記センサで表示するステップとをさらに備える、例１５２に記載の方法。
［例１７０］
前記第１成分の前記供給源が、定量ポンプを備える、例１５２に記載の方法。
［例１７１］
前記第１成分の前記供給源が、非定量ポンプ装置を備える、例１７０に記載の方法。
［例１７２］
前記排気ポートを通して排出されたガスを受容するための排気ラインをさらに備える、例１５２に記載の方法。
［例１７３］
前記排気ポートに真空を適用するステップをさらに含む、例１５２に記載の方法。
［例１７４］
前記第１成分が、粉末、ペレット、顆粒、錠剤、凝集体、球体、微小球体からなる群からの固形物を含む、例１５２に記載の方法。
［例１７５］
前記充填ステップ中に、前記第１成分が、ガス流と共に前記区画室に搬送される、例１７４に記載の方法。
［例１７６］
前記排気流路の少なくとも１つの開口の大きさにより、前記第１成分が前記排気ポートに達するのを防止する、例１７５に記載の方法。
［例１７７］
前記充填済みパッケージが、成形充填封止ラインで製造される、例１７５に記載の方法。
［例１７８］
複数の前記充填済みパッケージが、単一のウェブ部材から製造される、例１５２に記載の方法。
［例１７９］
前記第１成分の前記供給源が、真空を利用して前記充填ポートに取り付けられる、例１５２に記載の方法。
［例１８０］
有益剤用の単位用量の送達装置を製造する方法であって、
組み立てられた送達装置を受け取るステップと、前記有益剤の少なくとも第１成分が充填された、充填済みの無菌封止されたカートリッジを受け取るステップと、前記送達装置と前記無菌封止されたカートリッジとを一体化するステップとを含む、方法。
［例１８１］
前記送達装置が、バレルに予め組み付けられたピストンを備えるシリンジである、例１８０に記載の方法。
［例１８２］
前記送達装置およびカートリッジが予め滅菌され、当該方法が、前記送達装置と前記カートリッジとを無菌的に一体化するステップをさらに含む、例１８０に記載の方法。
［例１８３］
一体化した後に前記送達装置を最終滅菌するステップをさらに含む、例１８０に記載の方法。
［例１８４］
液状の有益剤の単位用量をパッケージに充填する方法であって、
前記有益剤の計量された単位用量を型内で凍結させて、凍結用量を作り出すステップと、
半完成の区画室内に凍結用量を入れるステップと、
前記区画室を封止するステップとを含む、方法。
［例１８５］
前記パッケージがブリスタパックを備え、前記凍結用量が予め形成された空洞内に入れられる、例１８４に記載の方法。
［例１８６］
前記区画室内に前記凍結用量を入れる前に、少なくとも１つの制御された特性について前記凍結用量を検査するステップをさらに含む、例１８４に記載の方法。
［例１８７］
前記パッケージを少なくとも第１ウェブ材料から製造するステップと、前記ウェブ材料上で前記単位用量を凍結させるステップとをさらに含む、例１８４に記載の方法。
［例１８８］
前記区画室を封止した後に前記凍結用量を解凍するステップをさらに含む、例１８４に記載の方法。
［例１８９］
前記区画室を封止する前に、解凍を防止できる温度に前記凍結用量を曝すステップをさらに備える、例１８４に記載の方法。
［例１９０］
流動性固形物の形態をなす有益剤の少なくとも第１成分の計量された用量をパッケージに充填する方法であって、
前記第１成分の用量を計量するステップと、
前記計量された用量を十分に圧縮して単一体を形成するステップと、
前記単一体を半完成のパッケージ内に入れるステップと、
前記パッケージを封止するステップと、
前記パッケージの壁を通してエネルギーを前記単一用量へ向けて前記単一用量を粒状物に変えるステップとを含む、方法。
［例１９１］
前記パッケージ内に入れる前に、少なくとも１つの制御された特性について前記単一体を検査するステップをさらに含む、例１９０に記載の方法。
［例１９２］
前記パッケージが少なくとも第１ウェブから少なくとも部分的に製造され、当該方法が、前記ウェブ上で前記を圧縮するステップをさらに含む、例１９０に記載の方法。
［例１９３］
成形充填封止ラインで前記パッケージを形成するステップをさらに含む、例１９０に記載の方法。
［例１９４］
前記パッケージの少なくとも一部分がウェブ材料を備え、当該方法が、前記パッケージの可撓壁を通して前記単一体を押圧することにより、前記エネルギーを向けるステップをさらに含む、例１９０に記載の方法。
［例１９５］
機械的振動、超音波振動、音響振動およびＲＦ振動のうちの少なくとも１つにより前記エネルギーを前記単一用量へ向ける、例１９０に記載の方法。
【図１ａ】
0005969497.tif 000002
【図１ｂ】
0005969497.tif 000003
【図１ｃ】
0005969497.tif 000004
【図１ｄ】
0005969497.tif 000005
【図１ｅ】
0005969497.tif 000006
【図１ｆ】
0005969497.tif 000007
【図２ａ】
0005969497.tif 000008
【図２ｂ】
0005969497.tif 000009
【図３ａ】
0005969497.tif 000010
【図３ｂ】
0005969497.tif 000011
【図４】
0005969497.tif 000012
【図５ａ】
0005969497.tif 000013
【図５ｂ】
0005969497.tif 000014
【図６】
0005969497.tif 000015
【図７】
0005969497.tif 000016
【図８】
0005969497.tif 000017
【図９ａ】
0005969497.tif 000018
【図９ｂ】
0005969497.tif 000019
【図１０ａ】
0005969497.tif 000020
【図１０ｂ】
0005969497.tif 000021
【図１０ｃ】
0005969497.tif 000022
【図１０ｄ】
0005969497.tif 000023
【図１０ｅ】
0005969497.tif 000024
【図１１】
0005969497.tif 000025
【図１２】
0005969497.tif 000026
【図１３】
0005969497.tif 000027
【図１４】
0005969497.tif 000028
【図１５】
0005969497.tif 000029
【図１６】
0005969497.tif 000030
【図１７】
0005969497.tif 000031
【図１８】
0005969497.tif 000032
【図１９】
0005969497.tif 000033
【図２０ａ】
0005969497.tif 000034
【図２０ｂ】
0005969497.tif 000035
【図２０ｃ】
0005969497.tif 000036
【図２０ｄ】
0005969497.tif 000037
【図２０ｅ】
0005969497.tif 000038
【図２０ｆ】
0005969497.tif 000039
【図２０ｇ】
0005969497.tif 000040
【図２１ａ】
0005969497.tif 000041
【図２１ｂ】
0005969497.tif 000042
【図２１ｃ】
0005969497.tif 000043
【図２１ｄ】
0005969497.tif 000044
【図２１ｅ】
0005969497.tif 000045
【図２２ａ】
0005969497.tif 000046
【図２２ｂ】
0005969497.tif 000047
【図２３ａ】
0005969497.tif 000048
【図２３ｂ】
0005969497.tif 000049
【図２３ｃ】
0005969497.tif 000050
【図２３ｄ】
0005969497.tif 000051
【図２３ｅ】
0005969497.tif 000052
【図２３ｆ】
0005969497.tif 000053
【図２４】
0005969497.tif 000054
【図２５ａ】
0005969497.tif 000055
【図２５ｂ】
0005969497.tif 000056
【図２５ｃ】
0005969497.tif 000057
【図２５ｄ】
0005969497.tif 000058
【図２５ｅ】
0005969497.tif 000059
【図２６】
0005969497.tif 000060
【図２７ａ】
0005969497.tif 000061
【図２７ｂ】
0005969497.tif 000062
【図２８】
0005969497.tif 000063
【図２９ａ】
0005969497.tif 000064
【図２９ｂ】
0005969497.tif 000065
【図３０】
0005969497.tif 000066
【図３１ａ】
0005969497.tif 000067
【図３１ｂ】
0005969497.tif 000068
【図３２】
0005969497.tif 000069
【図３３ａ】
0005969497.tif 000070
【図３３ｂ】
0005969497.tif 000071
【図３３ｃ】
0005969497.tif 000072
【図３３ｄ】
0005969497.tif 000073
【図３３ｅ】
0005969497.tif 000074
【図３４】
0005969497.tif 000075